(57)【特許請求の範囲】
【請求項１】
第１の端子、第２の端子及び第３の端子をもち、上記第２の端子と上記第３の端子の間に電気信号を与えることにより上記第１の端子と上記第３の端子間が開閉する第１、第２の電気弁を含み、当該第１の電気弁と第２の電気弁とが直列に接続された電気弁群と、第１、第２の電源を含み、当該第１の電源と第２の電源とが直列に接続され、かつ上記電気弁群に対して並列に接続された電源群と、上記第１の電気弁と上記第２の電気弁の接続点と上記第１の電源と上記第２の電源の接続点との間に接続されるべき負荷に対して所定の電力を供給するために、上記第１、第２の電気弁における第２の端子および上記第１、第２の電気弁における第３の端子に接続され、上記第１、第２の電気弁を相補に開閉するよう制御する制御手段と、一端が上記制御手段に接続され、他端が上記第１の電気弁における第３の端子に接続された第３の電源と、一端が上記制御手段に接続され、他端が上記第２の電気弁における第３の端子に接続された第４の電源と、上記第２の電気弁における第３の端子から、上記制御手段、上記第３の電源を経て、上記第１の電気弁における第３の端子に至る経路のインピーダンスを増加させるべく、上記第２の電気弁における第２の端子と上記制御手段とを接続する線及び上記第２の電気弁における第３の端子と上記制御手段を接続する線が貫通された中空部を有する磁性体とを有することを特徴とする電力変換装置。
【請求項２】
第１の端子、第２の端子及び第３の端子をもち、上記第２の端子と上記第３の端子の間に電気信号を与えることにより上記第１の端子と上記第３の端子間が開閉する第１、第２の電気弁を含み、当該第１の電気弁と第２の電気弁とが直列に接続された電気弁群と、第１、第２の電源を含み、当該第１の電源と第２の電源とが直列に接続され、かつ上記電気弁群に対して並列に接続された電源群と、上記第１の電気弁と上記第２の電気弁の接続点と上記第１の電源と上記第２の電源の接続点との間に接続されるべき負荷に対して所定の電力を供給するために、上記第１、第２の電気弁における第２の端子および上記第１、第２の電気弁における第３の端子に接続され、上記第１、第２の電気弁を相補に開閉するよう制御する制御手段と、一端が上記制御手段に接続され、他端が上記第１の電気弁における第３の端子に接続された第３の電源と、一端が上記制御手段に接続され、他端が上記第２の電気弁における第３の端子に接続された第４の電源と、上記第２の電気弁における第３の端子から、上記制御手段、上記第３の電源を経て、上記第１の電気弁における第３の端子に至る経路のインピーダンスを増加させるべく、上記第１の電気弁における第２の端子と上記制御手段とを接続する線及び上記第１の電気弁における第３の端子と上記制御手段を接続する線が貫通された中空部を有する磁性体とを有することを特徴とする電力変換装置。
【請求項３】
上記第１の電気弁における第２の端子と上記制御手段とを接続する線及び上記第１の電気弁における第３の端子と上記制御手段とを接続する線が磁性体の中空部を貫くように設けられたことを特徴とする請求項１記載の電力変換装置。
【請求項４】
上記第２の電気弁における第２の端子と上記制御手段とを接続する線及び上記第２の電気弁における第３の端子と上記制御手段とを接続する線に、上記磁性体の中空部が複数回貫かれていることを特徴とする請求項１または３に記載の電力変換装置。
【請求項５】
上記第１の電気弁における第２の端子と上記制御手段とを接続する線及び上記第１の電気弁における第３の端子と上記制御手段とを接続する線に、上記磁性体の中空部が複数回貫かれていることを特徴とする請求項２または３に記載の電力変換装置。
【請求項６】
第１の端子、第２の端子及び第３の端子をもち、上記第２の端子と上記第３の端子の間に電気信号を与えることにより上記第１の端子と上記第３の端子間が開閉する第１、第２の電気弁を含み、当該第１の電気弁と第２の電気弁とが直列に接続された電気弁群と、第１、第２の電源を含み、当該第１の電源と第２の電源とが直列に接続され、かつ上記電気弁群に対して並列に接続された電源群と、上記第１の電気弁と上記第２の電気弁の接続点と上記第１の電源と上記第２の電源の接続点との間に接続されるべき負荷に対して所定の電力を供給するために、上記第１、第２の電気弁における第２の端子および上記第１、第２の電気弁における第３の端子に接続され、上記第１、第２の電気弁を相補に開閉するよう制御する制御手段と、一端が上記制御手段に接続され、他端が上記第１の電気弁における第３の端子に接続された第３の電源と、一端が上記制御手段に接続され、他端が上記第２の電気弁における第３の端子に接続された第４の電源と、上記第２の電気弁における第３の端子から、上記制御手段、上記第３の電源を経て、上記第１の電気弁における第３の端子に至る経路のインピーダンスを増加させるべく、上記第３の電源と上記制御手段との間に直列に接続される、抵抗と上記抵抗に対して並列に接続されたダイオードとを有することを特徴とする電力変換装置。
【請求項７】
第１の端子、第２の端子及び第３の端子をもち、上記第２の端子と上記第３の端子の間に電気信号を与えることにより上記第１の端子と上記第３の端子間が開閉する第１、第２の電気弁を含み、当該第１の電気弁と第２の電気弁とが直列に接続された電気弁群と、第１、第２の電源を含み、当該第１の電源と第２の電源とが直列に接続され、かつ上記電気弁群に対して並列に接続された電源群と、上記第１の電気弁と上記第２の電気弁の接続点と上記第１の電源と上記第２の電源の接続点との間に接続されるべき負荷に対して所定の電力を供給するために、上記第１、第２の電気弁における第２の端子および上記第１、第２の電気弁における第３の端子に接続され、上記第１、第２の電気弁を相補に開閉するよう制御する制御手段と、一端が上記制御手段に接続され、他端が上記第１の電気弁における第３の端子に接続された第３の電源と、一端が上記制御手段に接続され、他端が上記第２の電気弁における第３の端子に接続された第４の電源と、上記第２の電気弁における第３の端子から、上記制御手段、上記第３の電源を経て、上記第１の電気弁における第３の端子に至る経路のインピーダンスを増加させるべく、上記第３の電源と上記制御手段との間を直列に接続されるダイオードと、上記ダイオードと上記第３の電源に対し並列に接続され、且つ直列に接続されたコンデンサ及び抵抗とを有することを特徴とする電力変換装置。
【請求項８】
第１の端子、第２の端子及び第３の端子をもち、上記第２の端子と上記第３の端子の間に電気信号を与えることにより上記第１の端子と上記第３の端子間が開閉する第１、第２の電気弁を含み、上記第１の電気弁と上記第２の電気弁とが直列に接続された第１の電気弁群と、第３の電気弁と第４の電気弁とが直列に接続され、上記第１の電気弁群に並列に接続される第２の電気弁群と、第５の電気弁と第６の電気弁とが直列に接続され、上記第１の電気弁群に並列に接続される第３の電気弁群と、第１の電気弁群と並列に接続される第１の電源と、上記第１の電気弁と上記第２の電気弁との間、上記第３の電気弁と上記第４の電気弁との間及び上記第５の電気弁と上記第６の電気弁との間に接続可能な３相の負荷に対して所定の電力を供給するための、上記第１、第２の電気弁における第２の端子および上記第１、第２の電気弁における第３の端子に接続され、上記第１、第２の電気弁を相補に開閉するよう制御する第１の電気弁群に対応した第１の制御手段と、第１の制御手段と同様の構成を有し、第２の電気弁群に対応した第２の制御手段と、第１の制御手段と同様の構成を有し、第３の電気弁群に対応した第３の制御手段と、一端が上記第１の制御手段に接続され、他端が上記第１の電気弁における第３の端子に接続された第２の電源と、一端が上記第２の制御手段に接続され、他端が上記第３の電気弁における第３の端子に接続された第３の電源と、一端が上記第３の制御手段に接続され、他端が上記第５の電気弁における第３の端子に接続された第４の電源と、上記第２の電気弁における第３の端子から、上記第１の制御手段、上記第２の電源を経て、上記第１の電気弁における第３の端子に至る経路、上記第４の電気弁における第３の端子から、上記第２の制御手段、上記第３の電源を経て、上記第３の電気弁における第３の端子に至る経路及び上記第６の電気弁における第３の端子から、上記第３の制御手段、上記第４の電源を経て、上記第５の電気弁における第３の端子に至る経路のインピーダンスを増加させるべく、上記第２の電気弁における第２の端子と上記第１の制御手段とを接続する線及び上記第２の電気弁における第３の端子と上記第１の制御手段を接続する線、上記第４の電気弁における第２の端子と上記第２の制御手段とを接続する線及び上記第４の電気弁における第３の端子と上記第２の制御手段を接続する線、上記第６の電気弁における第２の端子と上記第３の制御手段とを接続する線及び上記第６の電気弁における第３の端子と上記第３の制御手段を接続する線、が貫通された中空部を有する磁性体とを有することを特徴とする電力変換装置。
【請求項９】
第１の端子、第２の端子及び第３の端子をもち、上記第２の端子と上記第３の端子の間に電気信号を与えることにより上記第１の端子と上記第３の端子間が開閉する第１、第２の電気弁を含み、上記第１の電気弁と上記第２の電気弁とが直列に接続された第１の電気弁群と、第３の電気弁と第４の電気弁とが直列に接続され、上記第１の電気弁群に並列に接続される第２の電気弁群と、第５の電気弁と第６の電気弁とが直列に接続され、上記第１の電気弁群に並列に接続される第３の電気弁群と、第１の電気弁群と並列に接続される第１の電源と、上記第１の電気弁と上記第２の電気弁との間、上記第３の電気弁と上記第４の電気弁との間及び上記第５の電気弁と上記第６の電気弁との間に接続可能な３相の負荷に対して所定の電力を供給するための、上記第１、第２の電気弁における第２の端子および上記第１、第２の電気弁における第３の端子に接続され、上記第１、第２の電気弁を相補に開閉するよう制御する第１の電気弁群に対応した第１の制御手段と、第１の制御手段と同様の構成を有し、第２の電気弁群に対応した第２の制御手段と、第１の制御手段と同様の構成を有し、第３の電気弁群に対応した第３の制御手段と、一端が上記第１の制御手段に接続され、他端が上記第１の電気弁における第３の端子に接続された第２の電源と、一端が上記第２の制御手段に接続され、他端が上記第３の電気弁における第３の端子に接続された第３の電源と、一端が上記第３の制御手段に接続され、他端が上記第５の電気弁における第３の端子に接続された第４の電源と、上記第２の電気弁における第３の端子から、上記第１の制御手段、上記第２の電源を経て、上記第１の電気弁における第３の端子に至る経路、上記第４の電気弁における第３の端子から、上記第２の制御手段、上記第３の電源を経て、上記第３の電気弁における第３の端子に至る経路及び上記第６の電気弁における第３の端子から、上記第３の制御手段、上記第４の電源を経て、上記第５の電気弁における第３の端子に至る経路のインピーダンスを増加させるべく、上記第１の電気弁における第２の端子と上記第１の制御手段とを接続する線及び上記第１の電気弁における第３の端子と上記第１の制御手段を接続する線、上記第３の電気弁における第２の端子と上記第２の制御手段とを接続する線及び上記第３の電気弁における第３の端子と上記第２の制御手段を接続する線、上記第５の電気弁における第２の端子と上記第３の制御手段とを接続する線及び上記第５の電気弁における第３の端子と上記第３の制御手段を接続する線、が貫通された中空部を有する磁性体とを有することを特徴とする電力変換装置。
【請求項１０】
上記第１の電気弁における第２の端子と上記第１の制御手段とを接続する線及び上記第１の電気弁における第３の端子と上記第１の制御手段を接続する線、上記第３の電気弁における第２の端子と上記第２の制御手段とを接続する線及び上記第３の電気弁における第３の端子と上記第２の制御手段を接続する線、上記第５の電気弁における第２の端子と上記第３の制御手段とを接続する線及び上記第５の電気弁における第３の端子と上記第３の制御手段を接続する線、
が磁性体の中空部に貫通されていることを特徴とする請求項８記載の電力変換装置。
【請求項１１】
第１の端子、第２の端子及び第３の端子をもち、上記第２の端子と上記第３の端子の間に電気信号を与えることにより上記第１の端子と上記第３の端子間が開閉する第１、第２の電気弁を含み、上記第１の電気弁と上記第２の電気弁とが直列に接続された第１の電気弁群と、第３の電気弁と第４の電気弁とが直列に接続され、上記第１の電気弁群に並列に接続される第２の電気弁群と、第５の電気弁と第６の電気弁とが直列に接続され、上記第１の電気弁群に並列に接続される第３の電気弁群と、第１の電気弁群と並列に接続される第１の電源と、上記第１の電気弁と上記第２の電気弁との間、上記第３の電気弁と上記第４の電気弁との間及び上記第５の電気弁と上記第６の電気弁との間に接続可能な３相の負荷に対して所定の電力を供給するための、上記第１、第２の電気弁における第２の端子および上記第１、第２の電気弁における第３の端子に接続され、上記第１、第２の電気弁を相補に開閉するよう制御する第１の電気弁群に対応した第１の制御手段と、第１の制御手段と同様の構成を有し、第２の電気弁群に対応した第２の制御手段と、第１の制御手段と同様の構成を有し、第３の電気弁群に対応した第３の制御手段と、一端が上記第１の制御手段に接続され、他端が上記第１の電気弁における第３の端子に接続された第２の電源と、一端が上記第２の制御手段に接続され、他端が上記第３の電気弁における第３の端子に接続された第３の電源と、一端が上記第３の制御手段に接続され、他端が上記第５の電気弁における第３の端子に接続された第４の電源と、上記第２の電気弁における第３の端子から、上記第１の制御手段、上記第２の電源を経て、上記第１の電気弁における第３の端子に至る経路、上記第４の電気弁における第３の端子から、上記第２の制御手段、上記第３の電源を経て、上記第３の電気弁における第３の端子に至る経路及び上記第６の電気弁における第３の端子から、上記第３の制御手段、上記第４の電源を経て、上記第５の電気弁における第３の端子に至る経路のインピーダンスを増加させるべく、上記第２の電源と上記第１の制御手段との間に直列に接続される、並列に構成された第１の抵抗と第１のダイオードと、上記第３の電源と上記第２の制御手段との間に直列に接続される、並列に構成された第２の抵抗と第２のダイオードと、上記第４の電源と上記第３の制御手段との間に直列に接続される、並列に構成された第３の抵抗と第３のダイオードと、を有することを特徴とする電力変換装置。
【請求項１２】
第１の端子、第２の端子及び第３の端子をもち、上記第２の端子と上記第３の端子の間に電気信号を与えることにより上記第１の端子と上記第３の端子間が開閉する第１、第２の電気弁を含み、上記第１の電気弁と上記第２の電気弁とが直列に接続された第１の電気弁群と、第３の電気弁と第４の電気弁とが直列に接続され、上記第１の電気弁群に並列に接続される第２の電気弁群と、第５の電気弁と第６の電気弁とが直列に接続され、上記第１の電気弁群に並列に接続される第３の電気弁群と、第１の電気弁群と並列に接続される第１の電源と、上記第１の電気弁と上記第２の電気弁との間、上記第３の電気弁と上記第４の電気弁との間及び上記第５の電気弁と上記第６の電気弁との間に接続可能な３相の負荷に対して所定の電力を供給するための、上記第１、第２の電気弁における第２の端子および上記第１、第２の電気弁における第３の端子に接続され、上記第１、第２の電気弁を相補に開閉するよう制御する第１の電気弁群に対応した第１の制御手段と、第１の制御手段と同様の構成を有し、第２の電気弁群に対応した第２の制御手段と、第１の制御手段と同様の構成を有し、第３の電気弁群に対応した第３の制御手段と、一端が上記第１の制御手段に接続され、他端が上記第１の電気弁における第３の端子に接続された第２の電源と、一端が上記第２の制御手段に接続され、他端が上記第３の電気弁における第３の端子に接続された第３の電源と、一端が上記第３の制御手段に接続され、他端が上記第５の電気弁における第３の端子に接続された第４の電源と、上記第２の電気弁における第３の端子から、上記第１の制御手段、上記第２の電源を経て、上記第１の電気弁における第３の端子に至る経路、上記第４の電気弁における第３の端子から、上記第２の制御手段、上記第３の電源を経て、上記第３の電気弁における第３の端子に至る経路及び上記第６の電気弁における第３の端子から、上記第３の制御手段、上記第４の電源を経て、上記第５の電気弁における第３の端子に至る経路のインピーダンスを増加させるべく、上記第２の電源と上記第１の制御手段との間を直列に接続される第１のダイオードと、上記第１のダイオードと上記第２の電源に対し並列に接続され、且つ直列に接続された第１のコンデンサ及び第１の抵抗と、上記第３の電源と上記第２の制御手段との間を直列に接続される第２のダイオードと、上記第２のダイオードと上記第３の電源に対し並列に接続され、且つ直列に接続された第２のコンデンサ及び第２の抵抗と、上記第４の電源と上記第３の制御手段との間を直列に接続される第３のダイオードと、上記第３のダイオードと上記第４の電源に対し並列に接続され、且つ直列に接続された第３のコンデンサ及び第３の抵抗と、を有することを特徴とする電力変換装置。
【発明の詳細な説明】
【０００１】
【発明の属する技術分野】
この発明は、電力用スイッチング素子並びに該電力用スイッチング素子を制御する制御用ＩＣを有する電力変換装置に関するものである。
【０００２】
【従来の技術】
図２４は、従来の電力変換装置を構成する電力用スイッチング素子並びに該電力用スイッチング素子を駆動制御する制御用ＩＣの接続を示す。図において、１〜４は直流電源、５は抵抗、６はリアクトル、７及び８はスイッチ、９及び１０はダイオード、１１及び１２は抵抗、１３は上記スイッチ７及び８を駆動するＩＣである。
上記直流電源１及び２は上記抵抗５及び上記リアクトル６からなる負荷にエネルギーを供給するための電源であり、上記直流電源３は上記スイッチ７を駆動するための上記ＩＣ１３の電源供給端子であるＶＢ端子−ＶＳ端子間に電力を供給するための電源であり、上記直流電源４は上記スイッチ８を駆動するための上記ＩＣ１３のＶＣＣ端子−ＣＯＭ端子間に電力を供給するための電源であり、上記抵抗１１及び１２は上記スイッチ７及び８を駆動するためのドライブ抵抗である。
【０００３】
上記ＩＣ１３には上記スイッチ７及び８にそれぞれ対応する信号ＨＩＮ及びＬＩＮが入力され、上記信号ＨＩＮがハイの時は上記ＩＣ１３の出力ＨＯはハイとなり、上記信号ＨＩＮがローの時は上記ＩＣ１３の出力ＨＯはローとなる。また同様に、上記信号ＬＩＮがハイの時は上記ＩＣ１３の出力ＬＯはハイとなり、上記信号ＬＩＮがローの時は上記ＩＣ１３の出力ＬＯはローとなる。
【０００４】
また、図２４において、上記抵抗５及び上記リアクトル６からなる負荷に印加される電圧をＶＬ、及び上記負荷に流れる電流をＩＬ、上記ＩＣ１３でのＶＳ及びＣＯＭ間にかかる電圧をＶｒｅｖ、上記スイッチ８のエミッタと上記ＩＣ１３のＣＯＭとを接続する配線に流れる電流をＩｒｅｖ、上記直流電源１及び上記直流電源２の電圧をＥとする。なお上記各々の電圧及び電流の正の極性は図２４中の向きとする。
次に図２４及び図２５により負荷への電力供給方法を説明する。このとき、上記負荷電流ＩＬは正の向きであると仮定する。図２５において、（ａ）は上記スイッチ７の動作、（ｂ）は上記スイッチ８の動作、（ｃ）は上記負荷電圧ＶＬの波形、（ｄ）は上記負荷電流ＩＬの波形、（ｅ）は上記スイッチ７に流れる電流波形、（ｆ）は上記ダイオード１０に流れる電流波形である。
【０００５】
図において、上記スイッチ７がオフ及び上記スイッチ８がオンしていると、上記負荷電圧は−Ｅとなり、上記負荷電流ＩＬの大きさは減少する。このとき上記負荷電流ＩＬは実際には上記スイッチ８を流れないで、上記ダイオード１０を介して流れる。次に上記スイッチ７がオン及び上記スイッチ８がオフすると、上記負荷電圧は＋Ｅとなり、上記負荷電流ＩＬの大きさは増加する。このとき上記負荷電流ＩＬは上記スイッチ７を介して流れる。すなわち、上記スイッチ７及び８のオンオフ制御を行うと、上記負荷電圧ＶＬを制御することができ、ひいては上記負荷電流ＩＬを制御することができる。
また、図２６は上記ＩＣ１３の内部回路を示すものであり、図において、２１は上記信号ＨＩＮの立ち上がりを検出する立ち上がりエッジ検出回路、２２は上記信号ＨＩＮの立ち下がりを検出する立ち下がりエッジ検出回路、２３は上記立ち上がりエッジ検出回路２１の出力がハイの時オンし、上記立ち上がりエッジ検出回路２１の出力がローの時オフするＭＯＳＦＥＴ、２４は上記立ち下がりエッジ検出回路２２の出力がハイの時オンし、上記立ち下がりエッジ検出回路２２の出力がローの時オフするＭＯＳＦＥＴ、２５及び２６はそれぞれ上記ＭＯＳＦＥＴ２３及び上記ＭＯＳＦＥＴ２４の寄生ダイオード、２７及び２８は抵抗、上記２９及び上記３０はツェナーダイオード、３１はフリップフロップ、３２及び３３は上記信号ＨＯ及びＬＯを出力するバッファアンプである。上記ツェナーダイオード２９及び３０は上記フリップフロップ３１の入力側過電圧保護のために接続されている。
【０００６】
次に、図２７をもとに上記ＩＣ１３の動作について説明する。図２７において、（ａ）は上記信号ＨＩＮの波形、（ｂ）は上記信号ＬＩＮの波形、（ｃ）は上記立ち上がりエッジ検出回路２１の出力波形、（ｄ）は上記立ち下がりエッジ検出回路２２の波形、（ｅ）は上記フリップフロップ３１のＳ入力波形、（ｆ）は上記フリップフロップ３１のＲ入力波形、（ｇ）は上記フリップフロップ３１の出力Ｑの波形、（ｈ）は上記記号ＨＯの波形、（ｉ）は上記信号ＬＯの波形である。上記信号ＬＩＮは上記バッファアンプ３３を介してそのまま上記信号ＬＯとして出力される。
まず、上記信号ＨＩＮがローからハイに遷移した時刻ｔ１について述べる。このとき、上記立ち上がりエッジ検出回路２１の出力波形がある所定の時間ハイとなり、上記ＭＯＳＦＥＴ２３がオンとなる。
【０００７】
すると上記抵抗２７に電流が流れることにより上記抵抗２７において電圧降下が発生し、上記フリップフロップ３１のＳ入力はローとなり、上記フリップフロップ３１はセットされて上記信号Ｑはハイとなる。
次に、上記信号ＨＩＮがハイからローに遷移した時刻ｔ２について述べる。このとき、上記立ち下がりエッジ検出回路２２の出力波形がある所定の時間ハイとなり、上記ＭＯＳＦＥＴ２４がオンとなる。
【０００８】
すると上記抵抗２８に電流が流れることにより上記抵抗２８において電圧降下が発生し、上記フリップフロップ３１のＲ入力はローとなり、上記フリップフロップ３１はリセットされて上記信号Ｑはローとなる。
上記信号Ｑはバッファアンプ３２を介してそのまま上記信号ＨＯとして出力されるため、上記信号ＨＩＮ及び上記信号ＨＯは概ね一致することになる。
このような従来の電力変換装置においては、上記信号ＨＩＮからＨＯに至るまで及び上記信号ＬＩＮからＬＯに至るまで非絶縁となるため、フォトカプラ等による電気的絶縁を介した信号伝達に比べて遅れが少なくなり、より正確な信号伝達が行えるという利点がある。
【０００９】
次に、図２８〜図３０により、上記負荷電流ＩＬが上記スイッチ７から上記ダイオード１０に転流する時について述べる。図２８において上記スイッチ７を介して流れる電流をＩＬ１とする。また図２９において４０〜４２は配線インダクタンスであり、上記ダイオード１０を介して流れる電流をＩＬ２とする。また、図３０において（ａ）は上記電流ＩＬ１の波形、（ｂ）は上記電流ＩＬ２の波形、（ｃ）は上記電圧Ｖｒｅｖの波形である。図３０に示す期間においては、上記電流ＩＬは概ね一定としている。図２８に示すように、まず上記スイッチ７がオン、上記スイッチ８がオフしており、上記負荷電流ＩＬは上記スイッチ７を介して流れているものとする。
次に時刻ｔ１にて上記スイッチ７にオフ指令が与えられ、上記スイッチ８にオン指令が与えられると、上記電流ＩＬ１は図３０に示すように徐々に減少し、時刻ｔ２にてゼロとなる。また、上記電流ＩＬ２は徐々に増加し、時刻ｔ２にてＩＬとなる。このときＩＬ＝ＩＬ１＋ＩＬ２が成立する。
【００１０】
上記転流時において、上記配線インダクタンス４０〜４２においては図に示す向きに電流の傾きに比例した電圧が発生する。また同時に上記ダイオード１０には順方向ドロップ電圧Ｖｆが発生し、これらの和が上記電圧Ｖｒｅｖとして現れる。上記電圧Ｖｒｅｖの概略波形は図３０（ｃ）のようになる。
【００１１】
また、図３１において、上記ＩＣ１３は耐電圧を得るために上記端子ＶＢ−上記端子ＣＯＭ間がＰＮ接合で分離されている。すなわち寄生ダイオード５０が存在することになる。よって、上記電圧Ｖｒｅｖが負となり、その大きさが上記直流電源３の電圧Ｖ３を越えると、上記寄生ダイオード５０がオンすることにより、上記ＣＯＭ端子−上記寄生ダイオード５０−上記ＶＢ端子−上記直流電源３及び経路の配線インピーダンスを介して電流が流れる。上記電圧Ｖｒｅｖの大きさが上記直流電源３の電圧Ｖ３よりも小さくなると、上記寄生ダイオード５０に逆回復電流が流れた後上記寄生ダイオード５０がオフする。このときの概略波形を図３２に示す。（ａ）は上記電圧Ｖｒｅｖ、（ｂ）は上記電流Ｉｒｅｖである。
【００１２】
よって、上記ＩＣ１３の内部に図３２（ｂ）で示したような電流が流れることになる。また、上記バッファアンプ３２は図３３のような構成になっている。すなわち、５２はｐ形ＭＯＳＦＥＴ、５３はｎ形ＭＯＳＦＥＴであり、上記５２及び５３の２つのＭＯＳＦＥＴでいわゆるＣＭＯＳ構造を形成している。
上記ＣＭＯＳ構造を半導体の構造図で書き改めると図３４のようになる。基板はｎ形基板が使用されるとすると、ｎ形ＭＯＳＦＥＴを作るにおいてｐウェルが用いられる。この構造においては、トランジスタ６２及び６３が寄生的に存在する。また、基板には抵抗６０及び６１が寄生的に存在する。
【００１３】
ここで、上記ＶＢ端子からｎ形基板に電流が流れ込んだと仮定する。
【００１４】
このとき上記抵抗６０において図に示す＋及び−の向きに電圧降下が現れ、上記トランジスタ６２がオンする。これにより上記ＶＢ端子から上記ＶＳ端子に上記抵抗６１を介して電流が流れ、上記抵抗６１において図に示す＋及び−の向きに電圧降下が現れ、上記トランジスタ６３がオンする。すると上記ＶＢ端子と上記ＶＳ端子が２つのオンしているトランジスタを介して上記直流電源３を短絡するため、上記ＣＭＯＳ構造の誤動作が起こるのみならず、上記ＣＭＯＳ構造が過電流により熱破壊することになる。すなわちラッチアップ現象が起こる。
【００１５】
上記電流Ｉｒｅｖが充分大きいと、これが上記ラッチアップ現象の要因となり、上記ＩＣ１３が誤動作及び破壊するという問題があった。
また、上記電圧Ｖｒｅｖの大きさが上記直流電源３の電圧Ｖ３よりも大きいと、上記ＣＯＭ端子−上記ダイオード２５−上記ツェナーダイオード２９−上記ＶＢ端子−上記直流電源３及び経路の配線インピーダンスにより上記電流Ｉｒｅｖが流れうる。
【００１６】
このときの動作を図３５により説明する。図３５において、（ａ）は上記電流Ｉｒｅｖの波形、（ｂ）は上記ダイオード２５に流れる電流波形、（ｃ）は上記ダイオード２９に流れる電流波形、（ｄ）は上記フリップフロップ３１のＳ入力波形である。
【００１７】
上記電圧Ｖｒｅｖが時刻ｔ１にて上記直流電源３の電圧Ｖ３よりも小さくなったとき、上記ダイオード２５及び上記ツェナーダイオード２９はオフするために逆回復動作に入り、図のように負の電流が各ダイオードに流れる。このとき逆回復するための電荷量について、上記ダイオード２５のほうが上記ツェナーダイオード２９よりも大きいと、図のように上記ツェナーダイオード２９が時刻ｔ２にて逆回復動作を完了しオフする。上記ダイオード２５は未だ逆回復動作中であるため、負の電流が流れ続ける。その後時刻ｔ３にて上記ダイオード２５の逆回復動作が終了しオフとなる。
【００１８】
このとき、上記ダイオード２５に流れる負の電流は上記抵抗２７を介して流れ、このため上記フリップフロップ３１のＳ入力波形は図のようにローとなる。
【００１９】
よって、上記フリップフロップ３１の出力信号Ｑはローからハイに遷移し誤点呼となるという問題もあった。
【００２０】
すなわち、図３６のように上記電圧Ｖｒｅｖが負の向きに大きく発生するときに流れる上記電流Ｉｒｅｖが問題となる。
【００２１】
この問題を解決するために、従来の電力変換装置では、図３７に示すように、抵抗７０及び７１を接続し、上記抵抗１１の値＝上記抵抗７０の値＋上記抵抗７１の値とすることにより、上記電流Ｉｒｅｖが流れる経路のインピーダンスを増加させることによって上記電流Ｉｒｅｖを抑制することができるため、上記ＩＣ１３の誤動作及び破壊を抑制することができた。
【００２２】
また、他の従来の電力変換装置では、図３８に示すようにダイオード７２を上記ＩＣ１３のＣＯＭ端子とＶＳ端子に接続することにより、上記電流Ｉｒｅｖを上記ダイオード７２でバイパスすることにより上記ＩＣ１３に流れ込む電流を抑制することができるため、上記ＩＣ１３の誤動作及び破壊を抑制することができた。
【００２３】
【発明が解決しようとする課題】
しかし一般的に、図３７において上記スイッチ７が大容量素子のものである場合、一般に上記スイッチ７を駆動するためのドライブ抵抗値を小さく設定するため、上記抵抗７１の抵抗値を小さい値に設定しなければならず、上記電流Ｉｒｅｖを抑制することができるほどのインピーダンスを得られることができないという問題点があった。
【００２４】
また図３８において、上記電流Ｉｒｅｖは、上記ダイオード７２を通る経路のインピーダンスと上記ＩＣ１３を通る経路のインピーダンスの比により分流するため、上記ダイオード７２の特性や接続方法によっては完全に上記ＩＣ１３に流れ込む電流を抑制することができない場合がある。また、上記ダイオード７２のアノード及びカソードはそれぞれ上記スイッチ８のエミッタ及び上記スイッチ７のエミッタに接続されるため、上記直流電源１及び上記直流電源２の電圧が大きいと、上記ダイオード７２は該電圧にあわせて耐電圧の大きいものとしなければならないため、信頼性低下やコスト上昇の問題点があった。
【００２５】
【課題を解決するための手段】
この発明に係る電力変換装置は、第１の端子、第２の端子及び第３の端子をもち、上記第２の端子と上記第３の端子の間に電気信号を与えることにより上記第１の端子と上記第３の端子間が開閉する第１、第２の電気弁を含み、当該第１の電気弁と第２の電気弁とが直列に接続された電気弁群と、第１、第２の電源を含み、当該第１の電源と第２の電源とが直列に接続され、かつ上記電気弁群に対して並列に接続された電源群と、上記第１の電気弁と上記第２の電気弁の接続点と上記第１の電源と上記第２の電源の接続点との間に接続されるべき負荷に対して所定の電力を供給するために、上記第１、第２の電気弁における第２の端子および上記第１、第２の電気弁における第３の端子に接続され、上記第１、第２の電気弁を相補に開閉するよう制御する制御手段と、一端が上記制御手段に接続され、他端が上記第１の電気弁における第３の端子に接続された第３の電源と、一端が上記制御手段に接続され、他端が上記第２の電気弁における第３の端子に接続された第４の電源と、上記第２の電気弁における第３の端子から、上記制御手段、上記第３の電源を経て、上記第１の電気弁における第３の端子に至る経路のインピーダンスを増加させるべく、上記第２の電気弁における第２の端子と上記制御手段とを接続する線及び上記第２の電気弁における第３の端子と上記制御手段を接続する線が貫通された中空部を有する磁性体とを有するものである。
【００２６】
もしくは、上記第２の電気弁における第３の端子から、上記制御手段、上記第３の電源を経て、上記第１の電気弁における第３の端子に至る経路のインピーダンスを増加させるべく、上記第１の電気弁における第２の端子と上記制御手段とを接続する線及び上記第１の電気弁における第３の端子と上記制御手段を接続する線が貫通された中空部を有する磁性体とを有するものである。
【００２７】
または、上記第２の電気弁における第２の端子と上記制御手段とを接続する線及び上記第２の電気弁における第３の端子と上記制御手段を接続する線と、上記第１の電気弁における第２の端子と上記制御手段とを接続する線及び上記第１の電気弁における第３の端子と上記制御手段とを接続する線とが磁性体の中空部を貫くように設けられたものである。
【００２８】
さらにまた、上記第２の電気弁における第２の端子と上記制御手段とを接続する線及び上記第２の電気弁における第３の端子と上記制御手段とを接続する線に、上記磁性体の中空部が複数回貫かれているものである。
【００２９】
さらにまた、上記第１の電気弁における第２の端子と上記制御手段とを接続する線及び上記第１の電気弁における第３の端子と上記制御手段とを接続する線に、上記磁性体の中空部が複数回貫かれているものである。
【００３０】
または、上記第２の電気弁における第３の端子から、上記制御手段、上記第３の電源を経て、上記第１の電気弁における第３の端子に至る経路のインピーダンスを増加させるべく、上記第３の電源と上記制御手段との間に直列に接続される、抵抗と上記抵抗に対して並列に接続されたダイオードとを有するものである。
【００３１】
または、上記第２の電気弁における第３の端子から、上記制御手段、上記第３の電源を経て、上記第１の電気弁における第３の端子に至る経路のインピーダンスを増加させるべく、上記第３の電源と上記制御手段との間を直列に接続されるダイオードと、上記ダイオードと上記第３の電源に対し並列に接続され、且つ直列に接続されたコンデンサ及び抵抗とを有するものである。
【００３２】
または、３相の電力変換装置において、上記第２の電気弁における第２の端子と上記第１の制御手段とを接続する線及び上記第２の電気弁における第３の端子と上記第１の制御手段を接続する線、上記第４の電気弁における第２の端子と上記第２の制御手段とを接続する線及び上記第４の電気弁における第３の端子と上記第２の制御手段を接続する線、上記第６の電気弁における第２の端子と上記第３の制御手段とを接続する線及び上記第６の電気弁における第３の端子と上記第３の制御手段を接続する線、が貫通された中空部を有する磁性体とを有するものである。
【００３３】
または、３相の電力変換装置において、上記第１の電気弁における第２の端子と上記第１の制御手段とを接続する線及び上記第１の電気弁における第３の端子と上記第１の制御手段を接続する線、上記第３の電気弁における第２の端子と上記第２の制御手段とを接続する線及び上記第３の電気弁における第３の端子と上記第２の制御手段を接続する線、上記第５の電気弁における第２の端子と上記第３の制御手段とを接続する線及び上記第５の電気弁における第３の端子と上記第３の制御手段を接続する線、が貫通された中空部を有する磁性体とを有するものである。
【００３４】
または、３相の電力変換装置において、上記第２の電源と上記第１の制御手段との間に直列に接続される、並列に構成された第１の抵抗と第１のダイオードと、上記第３の電源と上記第２の制御手段との間に直列に接続される、並列に構成された第２の抵抗と第２のダイオードと、上記第４の電源と上記第３の制御手段との間に直列に接続される、並列に構成された第３の抵抗と第３のダイオードと、を有するものである。
【００３５】
または、３相の電力変換装置において、上記第２の電源と上記第１の制御手段との間を直列に接続される第１のダイオードと、上記第１のダイオードと上記第２の電源に対し並列に接続され、且つ直列に接続された第１のコンデンサ及び第１の抵抗と、上記第３の電源と上記第２の制御手段との間を直列に接続される第２のダイオードと、上記第２のダイオードと上記第３の電源に対し並列に接続され、且つ直列に接続された第２のコンデンサ及び第２の抵抗と、上記第４の電源と上記第３の制御手段との間を直列に接続される第３のダイオードと、上記第３のダイオードと上記第４の電源に対し並列に接続され、且つ直列に接続された第３のコンデンサ及び第３の抵抗と、を有するものである。
【００３６】
【発明の実施の形態】
実施の形態１．
図１はこの発明の一実施例である電力変換装置を示すもので、図において１〜１３は上記従来装置と同一のものであり、その説明を省略する。１００は例えばフェライト等の材料によるコア（コモンモードトランス）である。
【００３７】
上記のように構成された電力変換装置においては、上記電流Ｉｒｅｖは上記コア１００を１回貫くため、上記電流Ｉｒｅｖに対して上記コア１００はインダクタンス成分として働く。すなわち、上記電流Ｉｒｅｖの経路のインピーダンスが増加する。
【００３８】
上記電流Ｉｒｅｖの経路のインピーダンスが増加すると、上記電流Ｉｒｅｖを抑制することができるため、上記ＩＣ１３の誤動作や破壊を防止することができる。
【００３９】
また、上記スイッチ８をドライブするための電流経路、すなわち、上記ＩＣ１３のＬＯ端子−上記抵抗１２−上記スイッチ８のゲート−上記スイッチ８のエミッター上記ＩＣ１３のＣＯＭ端子を流れる電流は、上記コア１００をそれぞれ異なる方向に１回ずつ貫き、上記コア１００内の磁束が互いに打ち消しあうため、上記コア１００はインダクタンス成分として働かない。すなわち上記コア１００を接続することによる上記スイッチ８のドライブ速度の遅れなどを発生することなく、上記ＩＣ１３の誤動作や破壊を防止することができる。
【００４０】
また、上記電流Ｉｒｅｖは元来上記ＩＣ１３を流れるものであり電流値が小さいため、上記コア１００は安価なものが使用できる。
【００４１】
また、図２に示すように、上記コア１００に上記電流Ｉｒｅｖが２回貫くように構成すると、上記電流Ｉｒｅｖの流れる経路に対するインピーダンス成分が増加するため、更に上記電流Ｉｒｅｖを抑制することができ、上記ＩＣ１３の誤動作や破壊を防止することができる。
【００４２】
図２においては、上記コア１００に上記電流Ｉｒｅｖが２回貫くように構成したが、一般に上記電流Ｉｒｅｖが複数回貫くように構成してもよいことは言うまでもない。
また、図１及び図２においては、コアを１個のみで構成したが、複数個で構成してもよいことは言うまでもない。
【００４３】
また、図において上記抵抗１１を介するドライブ経路（上記端子ＨＯ−上記抵抗１１−上記スイッチ７−上記端子ＶＳ）を誘導ノイズ抑制のためツイスト線の状態に接続して構成してもよいことは言うまでもない。また同様に、上記抵抗１２を介するドライブ経路（上記端子ＬＯ−上記抵抗１２−上記スイッチ８−上記端子ＣＯＭ）を誘導ノイズ抑制のためツイスト線の状態に接続して構成してもよいことは言うまでもない。
また、コモンモードトランスに発生する磁束は小さいため、上記コモンモードトランスは安価なものが使用できる。
【００４４】
また、電気弁のスイッチング速度に影響することなく、上記ＩＣの誤動作及び破壊を防止することができる。
【００４５】
尚、この実施例では、電源１と電源２とが別々に設けられた回路について記載しているが、これら電源を共通にするような共通電源を用いて回路を構成することもできる。この場合でも共通電源は機能的には電源１と電源２とを有することになる。この点は、以降の実施例でも同様である。
【００４６】
また尚、この明細書においてスイッチ７、８におけるエミッタ、コレクタを主電極ともいい、ベースを制御電極という。
【００４７】
この実施例では、負荷として抵抗５及びリアクトル６が直列接続した場合を示しているが、抵抗５、リアクトル６の内のいずれかを設けるようにしてもよい。
【００４８】
実施の形態２．
図３はこの発明の第２の実施例を示すもので、図において１〜１３は上記従来装置と同一のものであり、その説明を省略する。１０１は例えばフェライト等の材料によるコア（コモンモードトランス）である。
【００４９】
上記のように構成された電力変換装置においては、上記電流Ｉｒｅｖは上記コア１０１を１回貫くため、上記電流Ｉｒｅｖに対して上記コア１０１はインダクタンス成分として働く。すなわち、上記電流Ｉｒｅｖの経路のインピーダンスが増加する。
【００５０】
上記電流Ｉｒｅｖの経路のインピーダンスが増加すると、上記電流Ｉｒｅｖを抑制することができるため、上記ＩＣ１３の誤動作や破壊を防止することができる。
【００５１】
また、上記スイッチ７をドライブするための電流経路、すなわち、上記ＩＣ１３のＨＯ端子−上記抵抗１１−上記スイッチ７のゲート−上記スイッチ７のエミッター上記ＩＣ１３のＶＳ端子を流れる電流は、上記コア１０１をそれぞれ異なる方向に１回ずつ貫き、上記コア１０１内の磁束が互いに打ち消しあうため、上記コア１０１はインダクタンス成分として働かない。すなわち上記コア１０１を接続することによる上記スイッチ７のドライブ速度の遅れなどを発生することなく、上記ＩＣ１３の誤動作や破壊を防止することができる。
【００５２】
また、上記電流Ｉｒｅｖは元来上記ＩＣ１３を流れるものであり電流値が小さいため、上記コア１０１は安価なものが使用できる。
【００５３】
また、上記電流Ｉｒｅｖが上記コア１０１を複数回貫くように構成してもよいことは言うまでもない。
【００５４】
また、コアを複数個で構成してもよいことは言うまでもない。
【００５５】
また、図において上記抵抗１１を介するドライブ経路（上記端子ＨＯ−上記抵抗１１−上記スイッチ７−上記端端子ＶＳ）を誘導ノイズ抑制のためツイスト線の状態に接続して構成してもよいことは言うまでもない。また同様に、上記抵抗１２を介するドライブ経路（上記端子ＬＯ−上記抵抗１２−上記スイッチ８−上記端子ＣＯＭ）を誘導ノイズ抑制のためツイスト線の状態に接続して構成してもよいことは言うまでもない。
【００５６】
実施の形態３．
図４はこの発明の第３の実施例を示すもので、図において１〜１３は上記従来装置と同一のものであり、その説明を省略する。１０３及び１０４は例えばフェライト等の材料によるコア（コモンモードトランス）である。
【００５７】
上記のように構成された電力変換装置においては、上記電流Ｉｒｅｖは上記コア１０３を１回及び上記コア１０４を１回貫くため、上記電流Ｉｒｅｖに対して上記コア１０３及び１０４はインダクタンス成分として働く。すなわち、上記電流Ｉｒｅｖの経路のインピーダンスが増加する。
【００５８】
上記電流Ｉｒｅｖの経路のインピーダンスが増加すると、上記電流Ｉｒｅｖを抑制することができるため、上記ＩＣ１３の誤動作や破壊を防止することができる。
【００５９】
また、上記スイッチ８をドライブするための電流経路、すなわち、上記ＩＣ１３のＬＯ端子−上記抵抗１２−上記スイッチ８のゲート−上記スイッチ８のエミッター上記ＩＣ１３のＣＯＭ端子を流れる電流は、上記コア１０４をそれぞれ異なる方向に１回ずつ貫き、上記コア１０４内の磁束が互いに打ち消しあうため、上記コア１０４はインダクタンス成分として働かない。すなわち上記コア１０４を接続することによる上記スイッチ８のドライブ速度の遅れなどを発生することなく、上記ＩＣ１３の誤動作や破壊を防止することができる。
【００６０】
また、上記スイッチ７をドライブするための電流経路、すなわち、上記ＩＣ１３のＨＯ端子−上記抵抗１１−上記スイッチ７のゲート−上記スイッチ７のエミッター上記ＩＣ１３のＶＳ端子を流れる電流は、上記コア１０３をそれぞれ異なる方向に１回ずつ貫き、上記コア１０３内の磁束が互いに打ち消しあうため、上記コア１０３はインダクタンス成分として働かない。すなわち上記コア１０３を接続することによる上記スイッチ７のドライブ速度の遅れなどを発生することなく、上記ＩＣ１３の誤動作や破壊を防止することができる。
【００６１】
また、上記電流Ｉｒｅｖは元来上記ＩＣ１３を流れるものであり電流値が小さいため、上記コア１０３及び１０４は安価なものが使用できる。
また、上記電流Ｉｒｅｖが上記コア１０３及び１０４を複数回貫くように構成してもよいことは言うまでもない。
【００６２】
また、上記コア１０３及び１０４をそれぞれ複数個で構成してもよいことは言うまでもない。
【００６３】
また、図において上記抵抗１１を介するドライブ経路（上記端子ＨＯ−上記抵抗１１−上記スイッチ７−上記端子ＶＳ）を誘導ノイズ抑制のためツイスト線の状態に接続して構成してもよいことは言うまでもない。また同様に、上記抵抗１２を介するドライブ経路（上記端子ＬＯ−上記抵抗１２−上記スイッチ８−上記端子ＣＯＭ）を誘導ノイズ抑制のためツイスト線の状態に接続して構成してもよいことは言うまでもない。
【００６４】
実施の形態４．
図５はこの発明の第４の実施例を示すもので、図において１〜１３は上記従来装置と同一のものであり、その説明を省略する。１０５は例えばフェライト等の材料によるコア（コモンモードトランス）である。
【００６５】
上記のように構成された電力変換装置においては、上記電流Ｉｒｅｖは上記コア１０５を２回貫くため、上記電流Ｉｒｅｖに対して上記コア１０５はインダクタンス成分として働く。すなわち、上記電流Ｉｒｅｖの経路のインピーダンスが増加する。
【００６６】
上記電流Ｉｒｅｖの経路のインピーダンスが増加すると、上記電流Ｉｒｅｖを抑制することができるため、上記ＩＣ１３の誤動作や破壊を防止することができる。
【００６７】
また、上記スイッチ８をドライブするための電流経路、すなわち、上記ＩＣ１３のＬＯ端子−上記抵抗１２−上記スイッチ８のゲート−上記スイッチ８のエミッター上記ＩＣ１３のＣＯＭ端子を流れる電流は、上記コア１０５をそれぞれ異なる方向に１回ずつ貫き、上記コア１０５内の磁束が互いに打ち消しあうため、上記コア１０５はインダクタンス成分として働かない。すなわち上記コア１０５を接続することによる上記スイッチ８のドライブ速度の遅れなどを発生することなく、上記ＩＣ１３の誤動作や破壊を防止することができる。
【００６８】
また、上記スイッチ７をドライブするための電流経路、すなわち、上記ＩＣ１３のＨＯ端子−上記抵抗１１−上記スイッチ７のゲート−上記スイッチ７のエミッター上記ＩＣ１３のＶＳ端子を流れる電流は、上記コア１０５をそれぞれ異なる方向に１回ずつ貫き、上記コア１０５内の磁束が互いに打ち消しあうため、上記コア１０５はインダクタンス成分として働かない。すなわち上記コア１０５を接続することによる上記スイッチ７のドライブ速度の遅れなどを発生することなく、上記ＩＣ１３の誤動作や破壊を防止することができる。
【００６９】
また、上記電流Ｉｒｅｖは元来上記ＩＣ１３を流れるものであり電流値が小さいため、上記コア１０５は安価なものが使用できる。
また、上記電流Ｉｒｅｖが上記コア１０５をより複数回貫くように構成してもよいことは言うまでもない。
【００７０】
また、上記コア１０５を複数個で構成してもよいことは言うまでもない。
【００７１】
また、低コスト化のためにコアを１個のみを使用し、かつ装置の構成上、同一のドライブ配線が図２に示したように２回以上貫くことができないという条件の下では、実施例１〜３においては上記電流Ｉｒｅｖに対し１つ分のコアのインピーダンスしかとれないが、本実施例によれば２つ分のコアのインピーダンスをとることができるため、上記電流Ｉｒｅｖを更に抑制することができる。
【００７２】
また、図において上記抵抗１１を介するドライブ経路（上記端子ＨＯ−上記抵抗１１−上記スイッチ７−上記端子ＶＳ）を誘導ノイズ抑制のためツイスト線の状態に接続して構成してもよいことは言うまでもない。また同様に、上記抵抗１２を介するドライブ経路（上記端子ＬＯ−上記抵抗１２−上記スイッチ８−上記端子ＣＯＭ）を誘導ノイズ抑制のためツイスト線の状態に接続して構成してもよいことは言うまでもない。
【００７３】
実施の形態５．
図６はこの発明の第５の実施例を示すもので、図において１〜１３は上記従来装置と同一のものであり、その説明を省略する。１１０は抵抗１１１はダイオードである。
【００７４】
上記のように構成された電力変換装置においては、上記電流Ｉｒｅｖが図中の向きに流れる場合上記抵抗１１０が存在するため、上記電流Ｉｒｅｖは抑制される。よって、上記ＩＣ１３の誤動作や破壊を防止することができる。
【００７５】
また、抵抗１１０を上記のように設けた場合には、抵抗１１０によって高インピーダンスとなるため、電源３からダイオード１１１を介してＶＢに駆動電源を供給するためにはこの経路のインピーダンスを低くする必要がある。そこで、ダイオード１１１を図に示すように設けている。
【００７６】
また、上記スイッチ７をオンにドライブするための電流経路、すなわち、上記電源３−上記ダイオード１１１−上記ＩＣ１３のＨＯ端子−上記抵抗１１−上記スイッチ７のゲート−上記スイッチ７のエミッタによる経路に、新たにインピーダンス成分が付加されないため、上記スイッチ７のドライブ速度の遅れなどを発生することがない。上記スイッチ７をオフにドライブする場合も問題ないことは言うまでもない。
【００７７】
また、上記ダイオード１１１は、上記電源３を介して上記ＩＣ１３のＶＢ端子及びＶＳ端子に接続されるものであり、定格電圧の低いものが使用できるため、安価なものが使える。
【００７８】
また、上記実施例のようなフェライトコアを用いた場合には機構容積（機構体積）、価格が大となるが、抵抗１１０とダイオード１１１を用いることによって省スペース化、低コスト化が実現できる点で有効である。
【００７９】
また、図において上記抵抗１１を介するドライブ経路（上記端子ＨＯ−上記抵抗１１−上記スイッチ７−上記端子ＶＳ）を誘導ノイズ抑制のためツイスト線の状態に接続して構成してもよいことは言うまでもない。また同様に、上記抵抗１２を介するドライブ経路（上記端子ＬＯ−上記抵抗１２−上記スイッチ８−上記端子ＣＯＭ）を誘導ノイズ抑制のためツイスト線の状態に接続して構成してもよいことは言うまでもない。
【００８０】
実施の形態６．
上記直流電源３が、例えばスイッチング電源などのように高周波ノイズや高周波リプルを含むような直流電源の場合、上記ノイズやリプル成分を上記ＩＣ１３に与えないように、上記ＩＣ１３の電源供給端子であるＶＢ及びＶＳの端子間には、高周波特性のよい小容量のデカップリングコンデンサが接続される場合がある。その場合には、上記電流Ｉｒｅｖは上記デカップリングコンデンサを通して流れ、上記ＩＣ１３が誤動作及び破壊をする。
【００８１】
図７はこの発明の第６の実施例を示すもので、図において１〜１３は上記従来装置と同一のものであり、その説明を省略する。１１２はダイオード、１１３はデカップリングコンデンサとしてのコンデンサ、１１４は抵抗である。
【００８２】
上記電流Ｉｒｅｖは上記ダイオード１１２によりブロックされ、上記直流電源３を通して流れる経路がなくなる。よって上記電流Ｉｒｅｖは上記コンデンサ１１３を通して流れようとするが、上記抵抗１１４が存在するため上記電流Ｉｒｅｖは抑制されるため、上記ＩＣ１３の誤動作や破壊を防止することができる。また、上記抵抗１１４の値が小さく設定できれば上記直流電源３に対する高周波成分のインピーダンスはあまり増加しないため、上記直流電源３における高周波ノイズや高周波リプルを、上記コンデンサ１１３及び上記抵抗１１４の経路で吸収することができる。
【００８３】
また、図において上記抵抗１１を介するドライブ経路（上記端子ＨＯ−上記抵抗１１−上記スイッチ７−上記端子ＶＳ）を誘導ノイズ抑制のためツイスト線の状態に接続して構成してもよいことは言うまでもない。また同様に、上記抵抗１２を介するドライブ経路（上記端子ＬＯ−上記抵抗１２−上記スイッチ８−上記端子ＣＯＭ）を誘導ノイズ抑制のためツイスト線の状態に接続して構成してもよいことは言うまでもない。
【００８４】
先の実施例ではフェライトコアを用いることによりインピーダンスを増加させるようにしていたため、機器容積（機器体積）、価格とも大となる。しかし、本実施例ではコンデンサ１１３および抵抗１１４によってインピーダンスを上げることにより、省スペース、低価格が実現できる。
【００８５】
実施の形態７．
図８は、３相の電力変換回路を３つの上記ＩＣ１３で駆動する場合を示すもので、図において３、４及び１３は上記従来装置と同一のものであり、その説明を省略する。２０６〜２０８は負荷、２０９〜２１４はスイッチ、２１５〜２２０はダイオードであり、上記スイッチ２０９〜２１４及び上記ダイオード２１５〜２２０により３相の電力変換回路を構成している。２２１〜２２６は抵抗、２３０〜２３３は直流電源、２４０は上記スイッチ２１１及び２１２を駆動するＩＣ、２４１は上記スイッチ２１３及び２１４を駆動するＩＣである。
【００８６】
上記直流電源２０１は上記負荷２０６〜２０８にエネルギーを供給するための電源であり、上記直流電源２３０は上記スイッチ２１１を駆動するための上記ＩＣ２４０の電源供給端子であるＶＢ端子−ＶＳ端子間に電力を供給するための電源であり、上記直流電源２３１は上記スイッチ２１２を駆動するための上記ＩＣ２４０の電源供給端子であるＶＣＣ端子−ＣＯＭ端子間に電力を供給するための電源であり、上記直流電源２３２は上記スイッチ２１３を駆動するための上記ＩＣ２４１の電源供給端子であるＶＢ端子−ＶＳ端子間に電力を供給するための電源であり、上記直流電源２３３は上記スイッチ２１４を駆動するための上記ＩＣ２４１の電源供給端子であるＶＣＣ端子−ＣＯＭ端子間に電力を供給するための電源であり、上記抵抗２２１は上記スイッチ２０９を駆動するためのドライブ抵抗であり、上記抵抗２２２は上記スイッチ２１１を駆動するためのドライブ抵抗であり、上記抵抗２２３は上記スイッチ２１３を駆動するためのドライブ抵抗であり、上記抵抗２２４は上記スイッチ２１０を駆動するためのドライブ抵抗であり、上記抵抗２２５は上記スイッチ２１２を駆動するためのドライブ抵抗であり、上記抵抗２２６は上記スイッチ２１４を駆動するためのドライブ抵抗である。
【００８７】
上記ＩＣ１３には上記スイッチ２０９に対応する信号ＵＰがＨＩＮ端子、また上記スイッチ２１０に対応する信号ＵＮがＬＩＮ端子に入力され、上記ＩＣ２４０には上記スイッチ２１１に対応する信号ＶＰがＨＩＮ端子に、また上記スイッチ２１２に対応する信号ＶＮがＬＩＮ端子に入力され、上記ＩＣ２４１には上記スイッチ２１３に対応する信号ＷＰがＨＩＮ端子に、また上記スイッチ２１４に対応する信号ＷＮがＬＩＮ端子に入力され、上記信号ＵＰがハイの時は上記ＩＣ１３の出力ＨＯはハイとなり、上記信号ＵＰがローの時は上記ＩＣ１３の出力ＨＯはローとなる。また同様に、上記信号ＵＮがハイの時は上記ＩＣ１３の出力ＬＯはハイとなり、上記信号ＵＮがローの時は上記ＩＣ１３の出力ＬＯはローとなる。また同様に、上記信号ＶＰがハイの時は上記ＩＣ２４０の出力ＨＯはハイとなり、上記信号ＶＰがローの時は上記ＩＣ２４０の出力ＨＯはローとなる。また同様に、上記信号ＶＮがハイの時は上記ＩＣ２４０の出力ＬＯはハイとなり、上記信号ＶＮがローの時は上記ＩＣ２４０の出力ＬＯはローとなる。また同様に、上記信号ＷＰがハイの時は上記ＩＣ２４１の出力ＨＯはハイとなり、上記信号ＷＰがローの時は上記ＩＣ２４１の出力ＨＯはローとなる。また同様に、上記信号ＷＮがハイの時は上記ＩＣ２４１の出力ＬＯはハイとなり、上記信号ＷＮがローの時は上記ＩＣ２４１の出力ＬＯはローとなる。
そのため、例えばＩＣ１３の出力ＨＯがハイ、ＩＣ１３の出力ＬＯがローであり、ＩＣ２４０の出力ＨＯがロー、ＩＣ２４０の出力ＬＯがハイであり、ＩＣ２４１の出力ＨＯがロー、ＩＣ２４１の出力ＬＯがハイの場合には、電源２０１からの電流はスイッチ２０９、負荷２０６、２０７、スイッチ２１２を流れる。また、スイッチ２０９、負荷２０６、２０８、スイッチ２１４を流れることになる。
【００８８】
上記ＩＣ２４０及び上記ＩＣ２４１は上記ＩＣ１３と同一の機能をもつ。すなわち、上記ＩＣ２４０及び上記ＩＣ２４１の内部回路は図２６と同様に表現され、図９に示すように電圧Ｖｒｅｖ１が発生して電流Ｉｒｅｖ１が流れ、電圧Ｖｒｅｖ２が発生して電流Ｉｒｅｖ２が流れ、電圧Ｖｒｅｖ３が発生して電流Ｉｒｅｖ３が流れる。以下、上記電圧Ｖｒｅｖ１が発生したときに上記電流Ｉｒｅｖ１が流れる場合について述べ、上記電流Ｉｒｅｖ２、上記電流Ｉｒｅｖ３についての動作も同様であるので説明を省略する。
図１０はこの発明の第７の実施例を示すもので、図において、３、４、１３、２０１、２０６〜２２６、２３０〜２３３、２４０、２４１は図８と同一のものであり、その説明を省略する。２５０は例えばフェライト等の材料によるコア（コモンモードトランス）である。
【００８９】
上記のように構成された電力変換装置においては、上記電流Ｉｒｅｖ１は上記コア２５０を１回貫くため、上記電流Ｉｒｅｖ１に対して上記コア２５０はインダクタンス成分として働く。すなわち、上記電流Ｉｒｅｖ１の経路のインピーダンスが増加する。
【００９０】
上記電流Ｉｒｅｖ１の経路のインピーダンスが増加すると、上記電流Ｉｒｅｖ１を抑制することができるため、上記ＩＣ１３の誤動作や破壊を防止することができる。
【００９１】
また、上記スイッチ２１０、２１２及び２１４をドライブするための電流は、上記コア２５０をそれぞれ異なる方向に１回ずつ貫き、上記コア２５０内の磁束が互いに打ち消しあうため、上記コア２５０はインダクタンス成分として働かない。すなわち上記コア２５０を接続することによる上記スイッチ２１０、２１２及び２１４のドライブ速度の遅れなどを発生することなく、上記ＩＣ１３の誤動作や破壊を防止することができる。
【００９２】
また、上記電流Ｉｒｅｖ１は元来上記ＩＣ１３を流れるものであり電流値が小さいため、上記コア２５０は安価なものが使用できる。
【００９３】
図１０においては、上記コア２５０に上記電流Ｉｒｅｖ１が１回貫くように構成したが、一般に上記電流Ｉｒｅｖ１が複数回貫くように構成してもよいことは言うまでもない。また、図１０においては、コアを１個のみで構成したが、複数個で構成してもよいことは言うまでもない。
【００９４】
また、図において上記抵抗２２１を介するドライブ経路（上記ＩＣ１３の端子ＨＯ−上記抵抗２２１−上記スイッチ２０９−上記ＩＣ１３の端子ＶＳ）を誘導ノイズ抑制のためツイスト線の状態に接続して構成してもよいことは言うまでもない。また同様に、上記抵抗２２２を介するドライブ経路（上記ＩＣ２４０の端子ＨＯ−上記抵抗２２２−上記スイッチ２１１−上記ＩＣ２４０の端子ＶＳ）を誘導ノイズ抑制のためツイスト線の状態に接続して構成してもよいことは言うまでもない。また同様に、上記抵抗２２３を介するドライブ経路（上記ＩＣ２４１の端子ＨＯ−上記抵抗２２３−上記スイッチ２１３−上記ＩＣ２４１の端子ＶＳ）を誘導ノイズ抑制のためツイスト線の状態に接続して構成してもよいことは言うまでもない。
【００９５】
実施の形態８．
図１１はこの発明の第８の実施例を示すもので、図において、３、４、１３、２０１、２０６〜２２６、２３０〜２３３、２４０、２４１は図８と同一のものであり、その説明を省略する。２５１は例えばフェライト等の材料によるコア（コモンモードトランス）である。
【００９６】
上記のように構成された電力変換装置においては、上記電流Ｉｒｅｖ１は上記コア２５１を１回貫くため、上記電流Ｉｒｅｖ１に対して上記コア２５１はインダクタンス成分として働く。すなわち、上記電流Ｉｒｅｖ１の経路のインピーダンスが増加する。
上記電流Ｉｒｅｖ１の経路のインピーダンスが増加すると、上記電流Ｉｒｅｖ１を抑制することができるため、上記ＩＣ１３の誤動作や破壊を防止することができる。
【００９７】
また、上記スイッチ２０９、２１１及び２１３をドライブするための電流は、上記コア２５１をそれぞれ異なる方向に１回ずつ貫き、上記コア２５１内の磁束が互いに打ち消しあうため、上記コア２５１はインダクタンス成分として働かない。すなわち上記コア２５１を接続することによる上記スイッチ２０９、２１１及び２１３のドライブ速度の遅れなどを発生することなく、上記ＩＣ１３の誤動作や破壊を防止することができる。
また、上記電流Ｉｒｅｖ１は元来上記ＩＣ１３を流れるものであり電流値が小さいため、上記コア２５１は安価なものが使用できる。
【００９８】
図１１においては、上記コア２５１に上記電流Ｉｒｅｖ１が１回貫くように構成したが、一般に上記電流Ｉｒｅｖ１が複数回貫くように構成してもよいことは言うまでもない。また、図１１においては、コアを１個のみで構成したが、複数個で構成してもよいことは言うまでもない。
【００９９】
また、図において上記抵抗２２１を介するドライブ経路（上記ＩＣ１３の端子ＨＯ−上記抵抗２２１−上記スイッチ２０９−上記ＩＣ１３の端子ＶＳ）を誘導ノイズ抑制のためツイスト線の状態に接続して構成してもよいことは言うまでもない。また同様に、上記抵抗２２２を介するドライブ経路（上記ＩＣ２４０の端子ＨＯ−上記抵抗２２２−上記スイッチ２１１−上記ＩＣ２４０の端子ＶＳ）を誘導ノイズ抑制のためツイスト線の状態に接続して構成してもよいことは言うまでもない。また同様に、上記抵抗２２３を介するドライブ経路（上記ＩＣ２４１の端子ＨＯ−上記抵抗２２３−上記スイッチ２１３−上記ＩＣ２４１の端子ＶＳ）を誘導ノイズ抑制のためツイスト線の状態に接続して構成してもよいことは言うまでもない。
【０１００】
実施の形態９．
図１２はこの発明の第９の実施例を示すもので、図において、３、４、１３、２０１、２０６〜２２６、２３０〜２３３、２４０、２４１は図８と同一のものであり、その説明を省略する。２５２及び２５３は例えばフェライト等の材料によるコア（コモンモードトランス）である。
【０１０１】
上記のように構成された電力変換装置においては、上記電流Ｉｒｅｖ１は上記コア２５２を１回及び上記コア２５３を１回貫くため、上記電流Ｉｒｅｖ１に対して上記コア２５１及び上記コア２５２はインダクタンス成分として働く。すなわち、上記電流Ｉｒｅｖ１の経路のインピーダンスが増加する。
【０１０２】
上記電流Ｉｒｅｖ１の経路のインピーダンスが増加すると、上記電流Ｉｒｅｖ１を抑制することができるため、上記ＩＣ１３の誤動作や破壊を防止することができる。
【０１０３】
また、上記スイッチ２１０、２１２及び２１４をドライブするための電流は、上記コア２５３をそれぞれ異なる方向に１回ずつ貫き、上記コア２５３内の磁束が互いに打ち消しあうため、上記コア２５３はインダクタンス成分として働かない。すなわち上記コア２５３を接続することによる上記スイッチ２１０、２１２及び２１４のドライブ速度の遅れなどを発生することなく、上記ＩＣ１３の誤動作や破壊を防止することができる。
【０１０４】
また、上記スイッチ２０９、２１１及び２１３をドライブするための電流は、上記コア２５２をそれぞれ異なる方向に１回ずつ貫き、上記コア２５２内の磁束が互いに打ち消しあうため、上記コア２５２はインダクタンス成分として働かない。すなわち上記コア２５２を接続することによる上記スイッチ２０９、２１１及び２１３のドライブ速度の遅れなどを発生することなく、上記ＩＣ１３の誤動作や破壊を防止することができる。
【０１０５】
また、上記電流Ｉｒｅｖ１は元来上記ＩＣ１３を流れるものであり電流値が小さいため、上記コア２５２及び２５３は安価なものが使用できる。
【０１０６】
図１２においては、上記コア２５２及び２５３に上記電流Ｉｒｅｖ１が１回ずつ貫くように構成したが、一般に上記電流Ｉｒｅｖ１が複数回貫くように構成してもよいことは言うまでもない。
【０１０７】
また、図１２においては、コアを１個ずつのみで構成したが、複数個で構成してもよいことは言うまでもない。
【０１０８】
また、図において上記抵抗２２１を介するドライブ経路（上記ＩＣ１３の端子ＨＯ−上記抵抗２２１−上記スイッチ２０９−上記ＩＣ１３の端子ＶＳ）を誘導ノイズ抑制のためツイスト線の状態に接続して構成してもよいことは言うまでもない。また同様に、上記抵抗２２２を介するドライブ経路（上記ＩＣ２４０の端子ＨＯ−上記抵抗２２２−上記スイッチ２１１−上記ＩＣ２４０の端子ＶＳ）を誘導ノイズ抑制のためツイスト線の状態に接続して構成してもよいことは言うまでもない。また同様に、上記抵抗２２３を介するドライブ経路（上記ＩＣ２４１の端子ＨＯ−上記抵抗２２３−上記スイッチ２１３−上記ＩＣ２４１の端子ＶＳ）を誘導ノイズ抑制のためツイスト線の状態に接続して構成してもよいことは言うまでもない。
【０１０９】
実施の形態１０．
図１３はこの発明の第１０の実施例を示すもので、図において、３、４、１３、２０１、２０６〜２２６、２３０〜２３３、２４０、２４１は図８と同一のものであり、その説明を省略する。２５４は例えばフェライト等の材料によるコア（コモンモードトランス）である。
【０１１０】
上記のように構成された電力変換装置においては、上記電流Ｉｒｅｖ１は上記コア２５４を２回貫くため、上記電流Ｉｒｅｖ１に対して上記コア２５４はインダクタンス成分として働く。すなわち、上記電流Ｉｒｅｖ１の経路のインピーダンスが増加する。
【０１１１】
上記電流Ｉｒｅｖ１の経路のインピーダンスが増加すると、上記電流Ｉｒｅｖ１を抑制することができるため、上記ＩＣ１３の誤動作や破壊を防止することができる。
【０１１２】
また、上記スイッチ２０９〜２１４をドライブするための電流は、上記コア２５４をそれぞれ異なる方向に１回ずつ貫き、上記コア２５４内の磁束が互いに打ち消しあうため、上記コア２５４はインダクタンス成分として働かない。すなわち上記コア２５４を接続することによる上記スイッチ２０９〜２１４のドライブ速度の遅れなどを発生することなく、上記ＩＣ１３の誤動作や破壊を防止することができる。
【０１１３】
また、上記電流Ｉｒｅｖ１は元来上記ＩＣ１３を流れるものであり電流値が小さいため、上記コア２５４は安価なものが使用できる。
【０１１４】
また、上記電流Ｉｒｅｖ１が上記コア２５４をより複数回貫くように構成してもよいことは言うまでもない。
【０１１５】
また、上記コア２５４を複数個で構成してもよいことは言うまでもない。
【０１１６】
また、低コスト化のためにコアを１個のみを使用し、かつ装置の構成上、同一のドライブ配線が図２に示したように２回以上貫くことができないという条件の下では、実施例７〜９においては上記電流Ｉｒｅｖに対し１つ分のコアのインピーダンスしかとれないが、本実施例によれば２つ分のコアのインピーダンスをとることができるため、上記電流Ｉｒｅｖ１〜３を更に抑制することができる。
【０１１７】
また、図において上記抵抗２２１を介するドライブ経路（上記ＩＣ１３の端子ＨＯ−上記抵抗２２１−上記スイッチ２０９−上記ＩＣ１３の端子ＶＳ）を誘導ノイズ抑制のためツイスト線の状態に接続して構成してもよいことは言うまでもない。また同様に、上記抵抗２２２を介するドライブ経路（上記ＩＣ２４０の端子ＨＯ−上記抵抗２２２−上記スイッチ２１１−上記ＩＣ２４０の端子ＶＳ）を誘導ノイズ抑制のためツイスト線の状態に接続して構成してもよいことは言うまでもない。また同様に、上記抵抗２２３を介するドライブ経路（上記ＩＣ２４１の端子ＨＯ−上記抵抗２２３−上記スイッチ２１３−上記ＩＣ２４１の端子ＶＳ）を誘導ノイズ抑制のためツイスト線の状態に接続して構成してもよいことは言うまでもない。
【０１１８】
実施の形態１１．
図１４はこの発明の第１１の実施例を示すもので、図において、３、４、１３、２０１、２０６〜２２６、２３０〜２３３、２４０、２４１は図８と同一のものであり、その説明を省略する。２６０〜２６２は抵抗、２６３〜２６５はダイオードである。
上記のように構成された電力変換装置においては、上記電流Ｉｒｅｖ１が流れる経路に上記抵抗２６０が存在するため、上記電流Ｉｒｅｖ１は抑制される。よって、上記ＩＣ１３の誤動作や破壊を防止することができる。
【０１１９】
また、上記スイッチ２０９、２１１及び２１３をオンにドライブするための電流経路に、新たにインピーダンス成分が付加されないため、上記スイッチ２０９、２１１及び２１３のドライブ速度の遅れなどを発生することがない。上記スイッチ２０９、２１１及び２１３をオフにドライブする場合も問題ないことは言うまでもない。
【０１２０】
また、上記ダイオード２６３は、上記電源３を介して上記ＩＣ１３のＶＢ端子及びＶＳ端子に接続されるものであり、上記ダイオード２６４は、上記電源２３０を介して上記ＩＣ２４０のＶＢ端子及びＶＳ端子に接続されるものであり、上記ダイオード２６５は、上記電源２３２を介して上記ＩＣ２４１のＶＢ端子及びＶＳ端子に接続されるものであり、定格電圧の低いものが使用できるため、安価なものが使える。
【０１２１】
また、図において上記抵抗２２１を介するドライブ経路（上記ＩＣ１３の端子ＨＯ−上記抵抗２２１−上記スイッチ２０９−上記ＩＣ１３の端子ＶＳ）を誘導ノイズ抑制のためツイスト線の状態に接続して構成してもよいことは言うまでもない。また同様に、上記抵抗２２２を介するドライブ経路（上記ＩＣ２４０の端子ＨＯ−上記抵抗２２２−上記スイッチ２１１−上記ＩＣ２４０の端子ＶＳ）を誘導ノイズ抑制のためツイスト線の状態に接続して構成してもよいことは言うまでもない。また同様に、上記抵抗２２３を介するドライブ経路（上記ＩＣ２４１の端子ＨＯ−上記抵抗２２３−上記スイッチ２１３−上記ＩＣ２４１の端子ＶＳ）を誘導ノイズ抑制のためツイスト線の状態に接続して構成してもよいことは言うまでもない。
【０１２２】
実施の形態１２．
上記直流電源３、２３０及び２３２が、例えばスイッチング電源などのように高周波ノイズや高周波リプルを含むような直流電源の場合、上記ノイズやリプル成分を上記ＩＣ１３、２４０及び２４１に与えないように、上記ＩＣ１３、２４０及び２４１の電源供給端子であるＶＢとＶＳの端子間には、高周波特性のよい小容量のデカップリングコンデンサが接続される場合がある。その場合には、上記電流Ｉｒｅｖ１、Ｉｒｅｖ２及びＩｒｅｖ３は上記デカップリングコンデンサを通して流れ、上記ＩＣ１３、２４０及び２４１が誤動作及び破壊をする。
【０１２３】
図１５はこの発明の第１２の実施例を示すもので、図において、３、４、１３、２０１、２０６〜２２６、２３０〜２３３、２４０、２４１は図８と同一のものであり、その説明を省略する。２７０〜２７２はダイオード、２７３〜２７５はデカップリングコンデンサとしてのコンデンサ、２７６〜２７８は抵抗である。
【０１２４】
上記電流Ｉｒｅｖ１は上記ダイオード２７０によりブロックされ、上記直流電源３を通して流れる経路がなくなる。よって上記電流Ｉｒｅｖ１は上記コンデンサ２７３を通して流れようとするが、上記抵抗２７７が存在するため上記電流Ｉｒｅｖ１は抑制され、上記ＩＣ１３の誤動作や破壊を防止することができる。また、このとき上記抵抗２７６の値が小さく設定できれば上記直流電源３に対する高周波成分のインピーダンスはあまり増加しないため、上記直流電源３における高周波ノイズや高周波リプルを、上記コンデンサ２７３及び上記抵抗２７６の経路で吸収することができる。
【０１２５】
また、図において上記抵抗２２１を介するドライブ経路（上記ＩＣ１３の端子ＨＯ−上記抵抗２２１−上記スイッチ２０９−上記ＩＣ１３の端子ＶＳ）を誘導ノイズ抑制のためツイスト線の状態に接続して構成してもよいことは言うまでもない。また同様に、上記抵抗２２２を介するドライブ経路（上記ＩＣ２４０の端子ＨＯ−上記抵抗２２２−上記スイッチ２１１−上記ＩＣ２４０の端子ＶＳ）を誘導ノイズ抑制のためツイスト線の状態に接続して構成してもよいことは言うまでもない。また同様に、上記抵抗２２３を介するドライブ経路（上記ＩＣ２４１の端子ＨＯ−上記抵抗２２３−上記スイッチ２１３−上記ＩＣ２４１の端子ＶＳ）を誘導ノイズ抑制のためツイスト線の状態に接続して構成してもよいことは言うまでもない。
【０１２６】
実施の形態１３．
図１６は、３相の電力変換回路を１つのＩＣで駆動する場合を示すもので、図において、２０１、２０６〜２２６は図８と同一のものであり説明を省略する。
【０１２７】
３００〜３０３は直流電源、３０４は上記スイッチ２０９〜２１４を駆動するＩＣ、３０５は上記スイッチ２０９〜２１４及び上記ダイオード２１５〜２２０からなる３相の電力変換回路に流れる電流ＩＬＬを検出するための抵抗である。
【０１２８】
上記直流電源３００は上記スイッチ２０９を駆動するための上記ＩＣ３０４の電源供給端子であるＶＢ１端子−ＶＳ１端子間に電力を供給するための電源であり、上記直流電源３０１は上記スイッチ２１１を駆動するための上記ＩＣ３０４の電源供給端子であるＶＢ２端子−ＶＳ２端子間に電力を供給するための電源であり、上記直流電源３０２は上記スイッチ２１３を駆動するための上記ＩＣ３０４の電源供給端子であるＶＢ３端子−ＶＳ３端子間に電力を供給するための電源であり、上記直流電源３０３は上記スイッチ２１０、２１２及び２１４を駆動するための上記ＩＣ３０４の電源供給端子であるＶＣＣ端子−ＣＯＭ端子間に電力を供給するための電源である。
【０１２９】
上記ＩＣ３０４には上記スイッチ２０９に対応する信号ＨＩＮ１が入力され、上記スイッチ２１０に対応する信号ＬＩＮ１が入力され、上記スイッチ２１１に対応する信号ＨＩＮ２が入力され、上記スイッチ２１２に対応する信号ＬＩＮ２が入力され、上記スイッチ２１３に対応する信号ＨＩＮ３が入力され、上記スイッチ２１４に対応する信号ＬＩＮ３が入力され、上記信号ＨＩＮ１がハイの時は上記ＩＣ３０４の出力ＨＯ１はハイとなり、上記信号ＨＩＮ１がローの時は上記ＩＣ３０４の出力ＨＯ１はローとなる。また同様に、上記信号ＬＩＮ１がハイの時は上記ＩＣ３０４の出力ＬＯ１はハイとなり、上記信号ＬＩＮ１がローの時は上記ＩＣ３０４の出力ＬＯ１はローとなる。また同様に、上記信号ＨＩＮ２がハイの時は上記ＩＣ３０４の出力ＨＯ２はハイとなり、上記信号ＨＩＮ２がローの時は上記ＩＣ３０４の出力ＨＯ２はローとなる。また同様に、上記信号ＬＩＮ２がハイの時は上記ＩＣ３０４の出力ＬＯ２はハイとなり、上記信号ＬＩＮ２がローの時は上記ＩＣ３０４の出力ＬＯ２はローとなる。また同様に、上記信号ＨＩＮ３がハイの時は上記ＩＣ３０４の出力ＨＯ３はハイとなり、上記信号ＨＩＮ３がローの時は上記ＩＣ３０４の出力ＨＯ３はローとなる。また同様に、上記信号ＬＩＮ３がハイの時は上記ＩＣ３０４の出力ＬＯ３はハイとなり、上記信号ＬＩＮ３がローの時は上記ＩＣ３０４の出力ＬＯ３はローとなる。
【０１３０】
上記ＩＣ３０４は上記３相の電力変換回路に流れる電流により発生する上記抵抗３０５の電圧を検出し、該電圧が所定のレベルより大きいとき、上記３相の電力変換回路に過大な電流が流れたと判断し、上記スイッチ２０９〜２１４を強制的にオフする。
上記ＩＣ３４０は上記ＩＣ１３と同一の機能が３組存在する。すなわち、１組分の内部回路は図２６と同様に表現され、図１７に示すように電圧Ｖｒｅｖ１が発生して電流Ｉｒｅｖ１が流れ、電圧Ｖｒｅｖ２が発生して電流Ｉｒｅｖ２が流れ、電圧Ｖｒｅｖ３が発生して電流Ｉｒｅｖ３が流れるメカニズムも同様である。以下、上記電圧Ｖｒｅｖ１が発生したときに上記電流Ｉｒｅｖ１が流れる場合について述べ、上記電流Ｉｒｅｖ２、上記電流Ｉｒｅｖ３についての動作も同様であるので説明を省略する。
【０１３１】
図１８はこの発明の第１３の実施例を示すもので,図において,に０１,に０６〜に似６、３００〜３０５は図１６と同一のものであり、その説明を省略する。３１１〜３１３は抵抗、３１４〜３１６はダイオードである。
【０１３２】
上記のように構成された電力変換装置においては、上記電流Ｉｒｅｖ１が流れる経路に上記抵抗３１１が存在するため、上記電流Ｉｒｅｖ１は抑制される。よって、上記ＩＣ３０４の誤動作や破壊を防止することができる。
【０１３３】
また、上記スイッチ２０９、２１１及び２１３をオンにドライブするための電流経路に、新たにインピーダンス成分が付加されないため、上記スイッチ２０９、２１１及び２１３のドライブ速度の遅れなどを発生することがない。上記スイッチ２０９、２１１及び２１３をオフにドライブする場合も問題ないことは言うまでもない。
【０１３４】
また、上記ダイオード３１４は、上記電源３００を介して上記ＩＣ３０４のＶＢ１端子及びＶＳ１端子に接続されるものであり、上記ダイオード３１５は、上記電源３０１を介して上記ＩＣ３０４のＶＢ２端子及びＶＳ２端子に接続されるものであり、上記ダイオード３１６は、上記電源３０２を介して上記ＩＣ３０４のＶＢ３端子及びＶＳ３端子に接続されるものであり、定格電圧の低いものが使用できるため、安価なものが使える。
【０１３５】
また、図において上記抵抗２２１を介するドライブ経路（上記ＩＣ３０４の端子ＨＯ１−上記抵抗２２１−上記スイッチ２０９−上記ＩＣ３０４の端子ＶＳ１）を誘導ノイズ抑制のためツイスト線の状態に接続して構成してもよいことは言うまでもない。また同様に、上記抵抗２２２を介するドライブ経路（上記ＩＣ３０４の端子ＨＯ２−上記抵抗２２２−上記スイッチ２１１−上記ＩＣ３０４の端子ＶＳ２）を誘導ノイズ抑制のためツイスト線の状態に接続して構成してもよいことは言うまでもない。また同様に、上記抵抗２２３を介するドライブ経路（上記ＩＣ３０４の端子ＨＯ３−上記抵抗２２３−上記スイッチ２１３−上記ＩＣ３０４の端子ＶＳ３）を誘導ノイズ抑制のためツイスト線の状態に接続して構成してもよいことは言うまでもない。
【０１３６】
実施の形態１４．
上記直流電源３００〜３０２が、例えばスイッチング電源などのように高周波ノイズや高周波リプルを含むような直流電源の場合、上記ノイズやリプル成分を上記ＩＣ３０４に与えないように、上記ＩＣ３０４の電源供給端子であるＶＢＩとＶＳ１の端子間、ＶＢ２とＶＳ２の端子間、及びＶＢ３とＶＳ３の端子間には、高周波特性のよい小容量のデカップリングコンデンサが接続される場合がある。その場合には、上記電流Ｉｒｅｖ１は上記デカップリングコンデンサを通して流れ、上記ＩＣ３０４が誤動作及び破壊をする。
【０１３７】
図１９はこの発明の第１５の実施例を示すもので、図において、２０１、２０６〜２２６及び３００〜３０５は図１６と同一のものであり、その説明を省略する。３１７〜３１９はダイオード、３２０〜３２２はデカップリングコンデンサとしてのコンデンサ、３２３〜３２５は抵抗である。
上記電流Ｉｒｅｖ１は上記ダイオード３１７によりブロックされ、上記直流電源３００を通して流れる経路がなくなる。よって上記電流Ｉｒｅｖ１は上記コンデンサ３２０を通して流れようとするが、上記抵抗３２３が存在するため上記電流Ｉｒｅｖ１は抑制され、上記ＩＣ３０４の誤動作や破壊を防止することができる。また、このとき上記抵抗３２３の値が小さく設定できれば上記直流電源３００に対する高周波成分のインピーダンスはあまり増加しないため、上記直流電源３００における高周波ノイズや高周波リプルを、上記コンデンサ３２０及び上記抵抗３２３の経路で吸収することができる。
【０１３８】
また、図において上記抵抗２２１を介するドライブ経路（上記ＩＣ３０４の端子ＨＯ１−上記抵抗２２１−上記スイッチ２０９−上記ＩＣ３０４の端子ＶＳ１）を誘導ノイズ抑制のためツイスト線の状態に接続して構成してもよいことは言うまでもない。また同様に、上記抵抗２２２を介するドライブ経路（上記ＩＣ３０４の端子ＨＯ２−上記抵抗２２２−上記スイッチ２１１−上記ＩＣ３０４の端子ＶＳ２）を誘導ノイズ抑制のためツイスト線の状態に接続して構成してもよいことは言うまでもない。また同様に、上記抵抗２２３を介するドライブ経路（上記ＩＣ３０４の端子ＨＯ３−上記抵抗２２３−上記スイッチ２１３−上記ＩＣ３０４の端子ＶＳ３）を誘導ノイズ抑制のためツイスト線の状態に接続して構成してもよいことは言うまでもない。
【０１３９】
実施の形態１５．
図２０はこの発明の第１６の実施例を示すもので、図において、２０１、２０６〜２２６、３００〜３０５は図１６と同一のものであり、その説明を省略する。３０７は例えばフェライト等の材料によるコア（コモンモードトランス）である。
【０１４０】
上記のように構成された電力変換装置においては、上記電流Ｉｒｅｖ１は上記コア３０７を１回貫くため、上記電流Ｉｒｅｖ１に対して上記コア３０７はインダクタンス成分として働く。すなわち、上記電流Ｉｒｅｖ１の経路のインピーダンスが増加する。
【０１４１】
上記電流Ｉｒｅｖ１の経路のインピーダンスが増加すると、上記電流Ｉｒｅｖ１を抑制することができるため、上記ＩＣ３０４の誤動作や破壊を防止することができる。
【０１４２】
また、上記スイッチ２１０、２１２及び２１４をドライブするための電流は、上記コア３０７をそれぞれ異なる方向に１回ずつ貫き、上記コア３０７内の磁束が互いに打ち消しあうため、上記コア３０７はインダクタンス成分として働かない。すなわち上記コア３０７を接続することによる上記スイッチ２１０、２１２及び２１４のドライブ速度の遅れなどを発生することなく、上記ＩＣ３０４の誤動作や破壊を防止することができる。
また、上記電流ＩＬＬは上記コア３０７をそれぞれ異なる方向に１回ずつ貫き、上記コア３０７内の磁束が互いに打ち消しあうため、上記コア３０７はインダクタンス成分として働かない。すなわち上記コア３０７を接続することによる上記電流ＩＬＬへの影響はない。
【０１４３】
また、上記電流Ｉｒｅｖ１は元来上記ＩＣ３０４を流れるものであり電流値が小さいため、かつ上記電流ＩＬＬにより生じる上記コア３０７内の磁束は打ち消しあうため、上記コア３０７は安価なものが使用できる。
【０１４４】
図２１においては、上記コア３０７に上記電流Ｉｒｅｖ１が１回貫くように構成したが、一般に上記電流Ｉｒｅｖ１が複数回貫くように構成してもよいことは言うまでもない。。
【０１４５】
また、図２１においては、コアを１個のみで構成したが、複数個で構成してもよいことは言うまでもない。
【０１４６】
また、図において上記抵抗２２１を介するドライブ経路（上記ＩＣ３０４の端子ＨＯ１−上記抵抗２２１−上記スイッチ２０９−上記ＩＣ３０４の端子ＶＳ１）を誘導ノイズ抑制のためツイスト線の状態に接続して構成してもよいことは言うまでもない。また同様に、上記抵抗２２２を介するドライブ経路（上記ＩＣ３０４の端子ＨＯ２−上記抵抗２２２−上記スイッチ２１１−上記ＩＣ３０４の端子ＶＳ２）を誘導ノイズ抑制のためツイスト線の状態に接続して構成してもよいことは言うまでもない。また同様に、上記抵抗２２３を介するドライブ経路（上記ＩＣ３０４の端子ＨＯ３−上記抵抗２２３−上記スイッチ２１３−上記ＩＣ３０４の端子ＶＳ３）を誘導ノイズ抑制のためツイスト線の状態に接続して構成してもよいことは言うまでもない。
【０１４７】
実施の形態１６．
図２１はこの発明の第１６の実施例を示すもので、図において、２０１、２０６〜２２６、３００〜３０５は図１６と同一のものであり、その説明を省略する。３０６は例えばフェライト等の材料によるコア（コモンモードトランス）である。
【０１４８】
上記のように構成された電力変換装置においては、上記電流Ｉｒｅｖ１は上記コア３０６を１回貫くため、上記電流Ｉｒｅｖ１に対して上記コア３０６はインダクタンス成分として働く。すなわち、上記電流Ｉｒｅｖ１の経路のインピーダンスが増加する。
【０１４９】
上記電流Ｉｒｅｖ１の経路のインピーダンスが増加すると、上記電流Ｉｒｅｖ１を抑制することができるため、上記ＩＣ３０４の誤動作や破壊を防止することができる。
【０１５０】
また、上記スイッチ２０９、２１１及び２１３をドライブするための電流は、上記コア３０６をそれぞれ異なる方向に１回ずつ貫き、上記コア２５１内の磁束が互いに打ち消しあうため、上記コア３０６はインダクタンス成分として働かない。すなわち上記コア３０６を接続することによる上記スイッチ２０９、２１１及び２１３のドライブ速度の遅れなどを発生することなく、上記ＩＣ３０４の誤動作や破壊を防止することができる。
【０１５１】
また、上記電流ＩＬＬは上記コア３０６を貫かないため、上記３相の電力変換回路に流れる電流への影響はないと共に、一般に上記電流ＩＬＬが大きい電流であると、上記電流ＩＬＬを流すための主回路配線も太くなるが、本実施例では上記コア３０６に上記主回路配線を接続しなくてもよいため構成が容易となる。
【０１５２】
また、上記電流Ｉｒｅｖ１は元来上記ＩＣ３０４を流れるものであり電流値が小さいため、上記コア３０６は安価なものが使用できる。
【０１５３】
図１８においては、上記コア３０６に上記電流Ｉｒｅｖ１が１回貫くように構成したが、一般に上記電流Ｉｒｅｖ１が複数回貫くように構成してもよいことは言うまでもない。
また、図１８においては、コアを１個のみで構成したが、複数個で構成してもよいことは言うまでもない。
【０１５４】
また、図において上記抵抗２２１を介するドライブ経路（上記ＩＣ３０４の端子ＨＯ１−上記抵抗２２１−上記スイッチ２０９−上記ＩＣ３０４の端子ＶＳ１）を誘導ノイズ抑制のためツイスト線の状態に接続して構成してもよいことは言うまでもない。また同様に、上記抵抗２２２を介するドライブ経路（上記ＩＣ３０４の端子ＨＯ２−上記抵抗２２２−上記スイッチ２１１−上記ＩＣ３０４の端子ＶＳ２）を誘導ノイズ抑制のためツイスト線の状態に接続して構成してもよいことは言うまでもない。また同様に、上記抵抗２２３を介するドライブ経路（上記ＩＣ３０４の端子ＨＯ３−上記抵抗２２３−上記スイッチ２１３−上記ＩＣ３０４の端子ＶＳ３）を誘導ノイズ抑制のためツイスト線の状態に接続して構成してもよいことは言うまでもない。
【０１５５】
実施の形態１７．
図２２はこの発明の第１７の実施例を示すもので、図において、２０１、２０６〜２２６、３００〜３０５は図１６と同一のものであり、その説明を省略する。３０８及び３０９は例えばフェライト等の材料によるコア（コモンモードトランス）である。
【０１５６】
上記のように構成された電力変換装置においては、上記電流Ｉｒｅｖ１は上記コア３０８を１回及び上記コア３０９を１回貫くため、上記電流Ｉｒｅｖ１に対して上記コア３０８及び３０９はインダクタンス成分として働く。すなわち、上記電流Ｉｒｅｖ１の経路のインピーダンスが増加する。
【０１５７】
上記電流Ｉｒｅｖ１の経路のインピーダンスが増加すると、上記電流Ｉｒｅｖ１を抑制することができるため、上記ＩＣ３０４の誤動作や破壊を防止することができる。
【０１５８】
また、上記スイッチ２０９、２１１及び２１３をドライブするための電流は、上記コア３０８をそれぞれ異なる方向に１回ずつ貫き、上記コア３０８内の磁束が互いに打ち消しあうため、上記コア３０８はインダクタンス成分として働かない。すなわち上記コア３０８を接続することによる上記スイッチ２０９、２１１及び２１３のドライブ速度の遅れなどを発生することなく、上記ＩＣ３０４の誤動作や破壊を防止することができる。
【０１５９】
また、上記スイッチ２１０、２１２及び２１４をドライブするための電流は、上記コア３０９をそれぞれ異なる方向に１回ずつ貫き、上記コア３０９内の磁束が互いに打ち消しあうため、上記コア３０９はインダクタンス成分として働かない。すなわち上記コア３０９を接続することによる上記スイッチ２１０、２１２及び２１４のドライブ速度の遅れなどを発生することなく、上記ＩＣ３０４の誤動作や破壊を防止することができる。
【０１６０】
また、上記電流ＩＬＬは上記コア３０９をそれぞれ異なる方向に１回ずつ貫き、上記コア３０９内の磁束が互いに打ち消しあうため、上記コア３０９はインダクタンス成分として働かない。すなわち上記コア３０９を接続することによる上記電流ＩＬＬへの影響はない。
【０１６１】
また、上記電流Ｉｒｅｖ１は元来上記ＩＣ３０４を流れるものであり電流値が小さいため、上記コア３０８は安価なものが使用できる。更に上記電流ＩＬＬにより生じる上記コア３０９内の磁束は打ち消しあうため、上記コア３０９も安価なものが使用できる。
【０１６２】
図２２においては、上記コア３０８及び３０９に上記電流Ｉｒｅｖ１が１回貫くように構成したが、一般に上記電流Ｉｒｅｖ１が複数回貫くように構成してもよいことは言うまでもない。
【０１６３】
また、図２２においては、コアをそれぞれ１個のみで構成したが、複数個で構成してもよいことは言うまでもない。
【０１６４】
また、図において上記抵抗２２１を介するドライブ経路（上記ＩＣ３０４の端子ＨＯ１−上記抵抗２２１−上記スイッチ２０９−上記ＩＣ３０４の端子ＶＳ１）を誘導ノイズ抑制のためツイスト線の状態に接続して構成してもよいことは言うまでもない。また同様に、上記抵抗２２２を介するドライブ経路（上記ＩＣ３０４の端子ＨＯ２−上記抵抗２２２−上記スイッチ２１１−上記ＩＣ３０４の端子ＶＳ２）を誘導ノイズ抑制のためツイスト線の状態に接続して構成してもよいことは言うまでもない。また同様に、上記抵抗２２３を介するドライブ経路（上記ＩＣ３０４の端子ＨＯ３−上記抵抗２２３−上記スイッチ２１３−上記ＩＣ３０４の端子ＶＳ３）を誘導ノイズ抑制のためツイスト線の状態に接続して構成してもよいことは言うまでもない。
【０１６５】
実施の形態１８．
図２３はこの発明の第１８の実施例を示すもので、図において、２０１、２０６〜２２６、３００〜３０５は図１６と同一のものであり、その説明を省略する。３１０は例えばフェライト等の材料によるコア（コモンモードトランス）である。
【０１６６】
上記のように構成された電力変換装置においては、上記電流Ｉｒｅｖ１は上記コア３１０を２回貫くため、上記電流Ｉｒｅｖ１に対して上記コア３１０はインダクタンス成分として働く。すなわち、上記電流Ｉｒｅｖ１の経路のインピーダンスが増加する。
【０１６７】
上記電流Ｉｒｅｖ１の経路のインピーダンスが増加すると、上記電流Ｉｒｅｖ１を抑制することができるため、上記ＩＣ３０４の誤動作や破壊を防止することができる。
【０１６８】
また、上記スイッチ２０９、２１１及び２１３をドライブするための電流は、上記コア３１０をそれぞれ異なる方向に１回ずつ貫き、上記コア３１０内の磁束が互いに打ち消しあうため、上記コア３１０はインダクタンス成分として働かない。すなわち上記コア３１０を接続することによる上記スイッチ２０９、２１１及び２１３のドライブ速度の遅れなどを発生することなく、上記ＩＣ３０４の誤動作や破壊を防止することができる。
【０１６９】
また、上記スイッチ２１０、２１２及び２１４をドライブするための電流は、上記コア３１０をそれぞれ異なる方向に１回ずつ貫き、上記コア３１０内の磁束が互いに打ち消しあうため、上記コア３１０はインダクタンス成分として働かない。すなわち上記コア３１０を接続することによる上記スイッチ２１０、２１２及び２１４のドライブ速度の遅れなどを発生することなく、上記ＩＣ３０４の誤動作や破壊を防止することができる。
【０１７０】
また、上記電流ＩＬＬは上記コア３１０をそれぞれ異なる方向に１回ずつ貫き、上記コア３１０内の磁束が互いに打ち消しあうため、上記コア３１０はインダクタンス成分として働かない。すなわち上記コア３１０を接続することによる上記電流ＩＬＬへの影響はない。
【０１７１】
また、上記電流Ｉｒｅｖ１は元来上記ＩＣ３０４を流れるものであり電流値が小さいため、更に上記電流ＩＬＬにより生じる上記コア３１０内の磁束は打ち消しあうため、上記コア３１０は安価なものが使用できる。
【０１７２】
図２３においては、上記コア３１０に上記電流Ｉｒｅｖ１が２回貫くように構成したが、一般に上記電流Ｉｒｅｖ１が複数回貫くように構成してもよいことは言うまでもない。
また、図２３においては、コアを１個のみで構成したが、複数個で構成してもよいことは言うまでもない。
【０１７３】
また、低コスト化のためにコアを１個のみを使用し、かつ装置の構成上、同一のドライブ配線が図２に示したように２回以上貫くことができないという条件の下では、実施例７〜９においては上記電流Ｉｒｅｖに対し１つ分のコアのインピーダンスしかとれないが、本実施例によれば２つ分のコアのインピーダンスをとることができるため、上記電流Ｉｒｅｖ１〜３を更に抑制することができる。
【０１７４】
また、図において上記抵抗２２１を介するドライブ経路（上記ＩＣ３０４の端子ＨＯ１−上記抵抗２２１−上記スイッチ２０９−上記ＩＣ３０４の端子ＶＳ１）を誘導ノイズ抑制のためツイスト線の状態に接続して構成してもよいことは言うまでもない。また同様に、上記抵抗２２２を介するドライブ経路（上記ＩＣ３０４の端子ＨＯ２−上記抵抗２２２−上記スイッチ２１１−上記ＩＣ３０４の端子ＶＳ２）を誘導ノイズ抑制のためツイスト線の状態に接続して構成してもよいことは言うまでもない。また同様に、上記抵抗２２３を介するドライブ経路（上記ＩＣ３０４の端子ＨＯ３−上記抵抗２２３−上記スイッチ２１３−上記ＩＣ３０４の端子ＶＳ３）を誘導ノイズ抑制のためツイスト線の状態に接続して構成してもよいことは言うまでもない。
【０１７５】
【発明の効果】
以上説明したように、この発明は以下に示すような効果を奏する。
【０１７６】
この発明に係る電力変換装置は、第１の端子、第２の端子及び第３の端子をもち、上記第２の端子と上記第３の端子の間に電気信号を与えることにより上記第１の端子と上記第３の端子間が開閉する第１、第２の電気弁を含み、当該第１の電気弁と第２の電気弁とが直列に接続された電気弁群と、第１、第２の電源を含み、当該第１の電源と第２の電源とが直列に接続され、かつ上記電気弁群に対して並列に接続された電源群と、上記第１の電気弁と上記第２の電気弁の接続点と上記第１の電源と上記第２の電源の接続点との間に接続されるべき負荷に対して所定の電力を供給するために、上記第１、第２の電気弁における第２の端子および上記第１、第２の電気弁における第３の端子に接続され、上記第１、第２の電気弁を相補に開閉するよう制御する制御手段と、一端が上記制御手段に接続され、他端が上記第１の電気弁における第３の端子に接続された第３の電源と、一端が上記制御手段に接続され、他端が上記第２の電気弁における第３の端子に接続された第４の電源と、上記第２の電気弁における第３の端子から、上記制御手段、上記第３の電源を経て、上記第１の電気弁における第３の端子に至る経路のインピーダンスを増加させるべく、上記第２の電気弁における第２の端子と上記制御手段とを接続する線及び上記第２の電気弁における第３の端子と上記制御手段を接続する線が貫通された中空部を有する磁性体とを有するため、上記第２の電気弁における第３の端子から、上記制御手段、上記第３の電源を経て、上記第１の電気弁における第３の端子に至る経路を流れる電流を抑制することができ、制御手段の誤動作及び破壊を防止することができる。
【０１７７】
もしくは、上記第２の電気弁における第３の端子から、上記制御手段、上記第３の電源を経て、上記第１の電気弁における第３の端子に至る経路のインピーダンスを増加させるべく、上記第１の電気弁における第２の端子と上記制御手段とを接続する線及び上記第１の電気弁における第３の端子と上記制御手段を接続する線が貫通された中空部を有する磁性体とを有するため、上記第２の電気弁における第３の端子から、上記制御手段、上記第３の電源を経て、上記第１の電気弁における第３の端子に至る経路を流れる電流を抑制することができ、制御手段の誤動作及び破壊を防止することができる。
【０１７８】
また、上記第２の電気弁における第２の端子と上記制御手段とを接続する線及び上記第２の電気弁における第３の端子と上記制御手段を接続する線と、上記第１の電気弁における第２の端子と上記制御手段とを接続する線及び上記第１の電気弁における第３の端子と上記制御手段とを接続する線とが磁性体の中空部を貫くように設けられたため、上記第２の電気弁における第３の端子から、上記制御手段、上記第３の電源を経て、上記第１の電気弁における第３の端子に至る経路を流れる電流を抑制することができ、制御手段の誤動作及び破壊を防止することができる。
【０１７９】
さらにまた、上記第２の電気弁における第２の端子と上記制御手段とを接続する線及び上記第２の電気弁における第３の端子と上記制御手段とを接続する線に、上記磁性体の中空部が複数回貫かれているので、上記第２の電気弁における第３の端子から、上記制御手段、上記第３の電源を経て、上記第１の電気弁における第３の端子に至る経路を流れる電流を抑制することができ、制御手段の誤動作及び破壊を防止することができる。
【０１８０】
さらにまた、上記第１の電気弁における第２の端子と上記制御手段とを接続する線及び上記第１の電気弁における第３の端子と上記制御手段とを接続する線に、上記磁性体の中空部が複数回貫かれているため、上記第２の電気弁における第３の端子から、上記制御手段、上記第３の電源を経て、上記第１の電気弁における第３の端子に至る経路を流れる電流をより抑制することができる。
【０１８１】
また、上記第２の電気弁における第３の端子から、上記制御手段、上記第３の電源を経て、上記第１の電気弁における第３の端子に至る経路のインピーダンスを増加させるべく、上記第３の電源と上記制御手段との間に直列に接続される、抵抗と上記抵抗に対して並列に接続されたダイオードとを有するので、上記第２の電気弁における第３の端子から、上記制御手段、上記第３の電源を経て、上記第１の電気弁における第３の端子に至る経路を流れる電流をより抑制することができる。
【０１８２】
また、上記第２の電気弁における第３の端子から、上記制御手段、上記第３の電源を経て、上記第１の電気弁における第３の端子に至る経路のインピーダンスを増加させるべく、上記第３の電源と上記制御手段との間を直列に接続されるダイオードと、上記ダイオードと上記第３の電源に対し並列に接続され、且つ直列に接続されたコンデンサ及び抵抗とを有するため、上記第２の電気弁における第３の端子から、上記制御手段、上記第３の電源を経て、上記第１の電気弁における第３の端子に至る経路を流れる電流をより抑制することができる。
【０１８３】
または、３相の電力変換装置において、上記第２の電気弁における第２の端子と上記第１の制御手段とを接続する線及び上記第２の電気弁における第３の端子と上記第１の制御手段を接続する線、上記第４の電気弁における第２の端子と上記第２の制御手段とを接続する線及び上記第４の電気弁における第３の端子と上記第２の制御手段を接続する線、上記第６の電気弁における第２の端子と上記第３の制御手段とを接続する線及び上記第６の電気弁における第３の端子と上記第３の制御手段を接続する線、が貫通された中空部を有する磁性体とを有するので、上記第２の電気弁における第３の端子から、上記第１の制御手段、上記第２の電源を経て、上記第１の電気弁における第３の端子に至る経路、上記第４の電気弁における第３の端子から、上記第２の制御手段、上記第３の電源を経て、上記第３の電気弁における第３の端子に至る経路及び上記第６の電気弁における第３の端子から、上記第３の制御手段、上記第４の電源を経て、上記第５の電気弁における第３の端子に至る経路のインピーダンスを増加させ、それらの経路に流れる電流を抑制することができる。
【０１８４】
または、３相の電力変換装置において、上記第１の電気弁における第２の端子と上記第１の制御手段とを接続する線及び上記第１の電気弁における第３の端子と上記第１の制御手段を接続する線、上記第３の電気弁における第２の端子と上記第２の制御手段とを接続する線及び上記第３の電気弁における第３の端子と上記第２の制御手段を接続する線、上記第５の電気弁における第２の端子と上記第３の制御手段とを接続する線及び上記第５の電気弁における第３の端子と上記第３の制御手段を接続する線、が貫通された中空部を有する磁性体とを有するので、上記第２の電気弁における第３の端子から、上記第１の制御手段、上記第２の電源を経て、上記第１の電気弁における第３の端子に至る経路、上記第４の電気弁における第３の端子から、上記第２の制御手段、上記第３の電源を経て、上記第３の電気弁における第３の端子に至る経路及び上記第６の電気弁における第３の端子から、上記第３の制御手段、上記第４の電源を経て、上記第５の電気弁における第３の端子に至る経路のインピーダンスを増加させ、それらの経路に流れる電流を抑制することができる。
【０１８５】
または、３相の電力変換装置において、上記第２の電源と上記第１の制御手段との間に直列に接続される、並列に構成された第１の抵抗と第１のダイオードと、上記第３の電源と上記第２の制御手段との間に直列に接続される、並列に構成された第２の抵抗と第２のダイオードと、上記第４の電源と上記第３の制御手段との間に直列に接続される、並列に構成された第３の抵抗と第３のダイオードと、を有するので、上記第２の電気弁における第３の端子から、上記第１の制御手段、上記第２の電源を経て、上記第１の電気弁における第３の端子に至る経路、上記第４の電気弁における第３の端子から、上記第２の制御手段、上記第３の電源を経て、上記第３の電気弁における第３の端子に至る経路及び上記第６の電気弁における第３の端子から、上記第３の制御手段、上記第４の電源を経て、上記第５の電気弁における第３の端子に至る経路のインピーダンスを増加させ、それらの経路に流れる電流を抑制することができる。
【０１８６】
または、３相の電力変換装置において、上記第２の電源と上記第１の制御手段との間を直列に接続される第１のダイオードと、上記第１のダイオードと上記第２の電源に対し並列に接続され、且つ直列に接続された第１のコンデンサ及び第１の抵抗と、上記第３の電源と上記第２の制御手段との間を直列に接続される第２のダイオードと、上記第２のダイオードと上記第３の電源に対し並列に接続され、且つ直列に接続された第２のコンデンサ及び第２の抵抗と、上記第４の電源と上記第３の制御手段との間を直列に接続される第３のダイオードと、上記第３のダイオードと上記第４の電源に対し並列に接続され、且つ直列に接続された第３のコンデンサ及び第３の抵抗と、を有するので、上記第２の電気弁における第３の端子から、上記第１の制御手段、上記第２の電源を経て、上記第１の電気弁における第３の端子に至る経路、上記第４の電気弁における第３の端子から、上記第２の制御手段、上記第３の電源を経て、上記第３の電気弁における第３の端子に至る経路及び上記第６の電気弁における第３の端子から、上記第３の制御手段、上記第４の電源を経て、上記第５の電気弁における第３の端子に至る経路のインピーダンスを増加させ、それらの経路に流れる電流を抑制することができる。
【０１８７】
以上のように、本発明にかかる電力変換装置は、電力用スイッチング素子並びに該電力用スイッチング素子を駆動する電力変換装置として用いられるのに適している。
【図面の簡単な説明】
【０１８８】
【図１】  実施例１における電力変換装置を示す回路図である。
【図２】  コアに接続線を２回巻した場合の図である。
【図３】  実施例２における電力変換装置を示す回路図である。
【図４】  実施例３における電力変換装置を示す回路図である。
【図５】  実施例４における電力変換装置を示す回路図である。
【図６】  実施例５における電力変換装置を示す回路図である。
【図７】  実施例６における電力変換装置を示す回路図である。
【図８】  ３相電力変換回路と３つのＩＣの接続方法を示す図である。
【図９】  ３相電力変換回路と３つのＩＣの接続時における、ＩＣの誤動作及び破壊を引き起こす電流経路を示す図である。
【図１０】  実施例７における電力変換装置を示す回路図である。
【図１１】  実施例８における電力変換装置を示す回路図である。
【図１２】  実施例９における電力変換装置を示す回路図である。
【図１３】  実施例１０における電力変換装置を示す回路図である。
【図１４】  実施例１１における電力変換装置を示す回路図である。
【図１５】  実施例１２における電力変換装置を示す回路図である。
【図１６】  ３相電力変換回路と１つのＩＣの接続方法を示す回路図である。
【図１７】  ３相電力変換回路と１つのＩＣの接続時における、ＩＣの誤動作及び破壊を引き起こす電流経路を示す回路図である。
【図１８】  実施例１３における電力変換装置を示す回路図である。
【図１９】  実施例１４における電力変換装置を示す回路図である。
【図２０】  実施例１５における電力変換装置を示す回路図である。
【図２１】  実施例１６における電力変換装置を示す回路図である。
【図２２】  実施例１７における電力変換装置を示す回路図である。
【図２３】  実施例１８における電力変換装置を示す回路図である。
【図２４】  従来の電力変換装置を示す回路図である。
【図２５】  従来の電力変換装置のスイッチ動作と電圧及び電流の波形を示す図である。
【図２６】  ＩＣの内部回路を示す図である。
【図２７】  ＩＣの動作を説明する図である。
【図２８】  従来の電力変換装置の動作を示す図である。
【図２９】  従来の電力変換装置の動作を示す図である。
【図３０】  従来の電力変換装置における電圧及び電流を示す図である。
【図３１】  ＩＣの内部回路を示す図である。
【図３２】  ＩＣに電流が流れるメカニズムを示す図である。
【図３３】  ＩＣのバッファアンプ構成を示す図である。
【図３４】  ＩＣのバッファアンプ構成を示す図である。
【図３５】  ＩＣが誤動作するメカニズムを示す図である。
【図３６】  ＩＣが誤動作または破壊を起こすときの電流経路を示す図である。
【図３７】  従来の電力変換装置での対策例を示す図である。
【図３８】  従来の電力変換装置での対策例を示す図である。
【図１】
0003695662.tif 000002
【図２】
0003695662.tif 000003
【図３】
0003695662.tif 000004
【図４】
0003695662.tif 000005
【図５】
0003695662.tif 000006
【図６】
0003695662.tif 000007
【図７】
0003695662.tif 000008
【図８】
0003695662.tif 000009
【図９】
0003695662.tif 000010
【図１０】
0003695662.tif 000011
【図１１】
0003695662.tif 000012
【図１２】
0003695662.tif 000013
【図１３】
0003695662.tif 000014
【図１４】
0003695662.tif 000015
【図１５】
0003695662.tif 000016
【図１６】
0003695662.tif 000017
【図１７】
0003695662.tif 000018
【図１８】
0003695662.tif 000019
【図１９】
0003695662.tif 000020
【図２０】
0003695662.tif 000021
【図２１】
0003695662.tif 000022
【図２２】
0003695662.tif 000023
【図２３】
0003695662.tif 000024
【図２４】
0003695662.tif 000025
【図２５】
0003695662.tif 000026
【図２６】
0003695662.tif 000027
【図２７】
0003695662.tif 000028
【図２８】
0003695662.tif 000029
【図２９】
0003695662.tif 000030
【図３０】
0003695662.tif 000031
【図３１】
0003695662.tif 000032
【図３２】
0003695662.tif 000033
【図３３】
0003695662.tif 000034
【図３４】
0003695662.tif 000035
【図３５】
0003695662.tif 000036
【図３６】
0003695662.tif 000037
【図３７】
0003695662.tif 000038
【図３８】
0003695662.tif 000039